(57)【要約】      （修正有）【課題】優れた通信速度を有する無線通信システムを提供する。【解決手段】第１の基地局装置と移動局装置とがプライマリーコンポーネントキャリアを用いて通信しているときに、移動局装置と同時に通信する第２の基地局装置３ｃであって、第２の基地局装置は、第２の基地局装置と移動局装置との通信を行わない状態にするか否かを判定するＣＡ通信拒否判定部３２ｃと、ＣＡ通信拒否判定部３２ｃの判定結果に基づいて、第２の基地局装置と移動局装置との通信を行わない状態にするための第１のメッセージを、第１の基地局装置に送信するネットワーク通信部３０５と、を備える。ネットワーク通信部３０５は、第１の基地局装置が第１のメッセージに基づいて送信する第２のメッセージを受信する。【選択図】図１８
2017022732.tif 000002
【特許請求の範囲】
【請求項１】
第１の基地局装置と移動局装置とがプライマリーコンポーネントキャリアを用いて通信しているときに、前記移動局装置と同時に通信する第２の基地局装置であって、
前記第２の基地局装置と前記移動局装置との通信を行わない状態にするか否かを判定する判定部と、
前記判定部の判定結果に基づいて、前記第２の基地局装置と前記移動局装置との通信を行わない状態にするための第１のメッセージを、前記第１の基地局装置に送信する通信部と、
を備え、
前記通信部は、前記第１の基地局装置が前記第１のメッセージに基づいて送信する第２のメッセージを受信する
ことを特徴とする基地局装置。
【請求項２】
前記判定部は、
セルトラフィック量、ユーザ数、無線通信品質、通信制限の少なくともいずれか一つの情報に基づいて、前記移動局装置との通信を行わない状態にするか否かを判定すること
を特徴とする請求項１に記載の基地局装置。
【請求項３】
前記第２の基地局装置は、
前記第１の基地局装置とＸ２インターフェースで接続されている
ことを特徴とする請求項１または２に記載の基地局装置。
【請求項４】
第２の基地局装置と移動局装置とが通信しているときに、前記移動局装置とプライマリーコンポーネントキャリアを用いて同時に通信する第１の基地局装置であって、
前記第２の基地局装置と前記移動局装置との通信を行わない状態にするための第１のメッセージを、前記第２の基地局装置から受信する通信部
を備え、
前記通信部は、
受信した前記第１のメッセージに基づいて、第２のメッセージを前記第２の基地局装置に対して送信し、前記第２のメッセージを送信した後に、前記第２の基地局装置と前記移動局装置との通信を行わない状態にするための第３のメッセージを前記移動局装置に対して送信する
ことを特徴とする基地局装置。
【請求項５】
前記第１の基地局装置は、
前記第２の基地局装置とＸ２インターフェースで接続されていること
を特徴とする請求項４に記載の基地局装置。
【請求項６】
第１の基地局装置と移動局装置とがプライマリーコンポーネントキャリアを用いて通信しているときに、前記移動局装置と同時に通信する第２の基地局装置の制御方法であって、
前記第２の基地局装置と前記移動局装置との通信を行わない状態にするか否かを判定する第１のステップと、
前記判定の結果に基づいて、前記第２の基地局装置と前記移動局装置との通信を行わない状態にするための第１のメッセージを、前記第１の基地局装置に送信する第２のステップと、
第１の基地局装置が前記第１のメッセージに基づいて送信する第２のメッセージを受信する第３のステップと、
を有する
ことを特徴とする制御方法。
【請求項７】
第２の基地局装置と移動局装置とが通信しているときに、前記移動局装置とプライマリーコンポーネントキャリアを用いて同時に通信する第１の基地局装置の制御方法であって、
前記第２の基地局装置と前記移動局装置との通信を行わない状態にするための第１のメッセージを、前記第２の基地局装置から受信する第１のステップと、
受信した前記第１のメッセージに基づいて、第２のメッセージを前記第２の基地局装置に対して送信する第２のステップと、
前記第２のメッセージを送信した後に、前記第２の基地局装置と前記移動局装置との通信を行わない状態にするための第３のメッセージを前記移動局装置に対して送信する第３ステップと、
を有する
ことを特徴とする制御方法。
【発明の詳細な説明】
【技術分野】
【０００１】
本発明は、基地局装置および制御方法に関する。
【背景技術】
【０００２】
３ＧＰＰ（第３世代パートナーシッププロジェクト；３ｒｄ Ｇｅｎｅｒａｔｉｏｎ Ｐａｒｔｎｅｒｓｈｉｐ Ｐｒｏｊｅｃｔ）では、現在、ＬＴＥ−Ａ（エルティーイーエー、ロングタームエボリューションアドバンス；Ｌｏｎｇ Ｔｅｒｍ Ｅｖｏｌｕｔｉｏｎ−Ａｄｖａｎｃｅｄ）の仕様検討が行われている。ＬＴＥ−Ａでは、ＬＴＥよりも高速の通信を実現することが要求されている。このため、ＬＴＥ−Ａでは、ＬＴＥよりも広帯域（ＬＴＥの２０ＭＨｚの帯域幅を越え、１００ＭＨｚまでの帯域幅）をサポートすることが決まっている。
【０００３】
ＬＴＥ−Ａでは、ＬＴＥとの互換性を可能な限り維持する目的から、キャリアアグリゲーション（ＣＡ：Ｃａｒｒｉｅｒ Ａｇｇｒｅｇａｔｉｏｎ）技術が採用されている。ＣＡ技術では、通信装置は、コンポーネントキャリア（ＣＣ：Ｃｏｍｐｏｎｅｎｔ Ｃａｒｒｉｅｒ）と呼ばれる帯域幅２０ＭＨｚまでの周波数帯域（ＣＣ）を複数同時に利用して通信を行う。これにより、通信装置は、最大１００ＭＨｚの帯域幅の帯域を確保でき、この帯域を利用して、高速かつ大容量の通信を実現できる（非特許文献１の５．５章  参照）。
【０００４】
ＣＡ技術には、ＣＣが利用する周波数帯域（周波数バンド）の利用方法により、３つの方式が存在する。
（１）同周波数帯域（周波数バンド）で、連続した周波数帯を利用する（Ｉｎｔｅｒ−ｂａｎｄ  Ｃｏｎｔｉｇｕｏｕｓ ＣＡ）。
（２）同周波数帯域（周波数バンド）で、分散した周波数帯を利用する（Ｉｎｔｅｒ−ｂａｎｄ  Ｎｏｎ−Ｃｏｎｔｉｇｕｏｕｓ  ＣＡ）。
（３）異なる周波数帯域（周波数バンド）の周波数帯を利用する（Ｉｎｔｅｒ−ｂａｎｄ  Ｎｏｎ−Ｃｏｎｔｉｇｕｏｕｓ  ＣＡ）。
【０００５】
従来から検討されているＣＡ技術は、移動局装置と一つのマクロセル基地局装置との間についてのものである。ＣＡ技術では、移動局装置からのＰＵＣＣＨ（物理上り制御チャネル；Ｐｈｙｓｉｃａｌ Ｕｐｌｉｎｋ Ｃｏｎｔｒｏｌ Ｃｈａｎｎｅｌ）を、一つのＣＣを用いて送信する。
【０００６】
ＣＡ技術では、ＰＵＣＣＨを送信するＣＣをＰＣＣ（Ｐｒｉｍａｒｙ Ｃｏｍｐｏｎｅｎｔ Ｃａｒｒｉｅｒ）とし、ＰＵＣＣＨを送信しないＣＣをＳＣＣ（Ｓｅｃｏｎｄａｒｙ Ｃｏｍｐｏｎｅｎｔ Ｃａｒｒｉｅｒ）としている。
【０００７】
従来のマルチキャリア通信では、ＰＣＣ／ＳＣＣの概念がなく、２つの周波数帯域で、同じ信号を独立して利用することができた。また、新たな周波数帯域（周波数バンド）を追加する場合は、その追加する周波数帯域を使ってＰＲＡＣＨ送信を行い、同期をとって、接続処理をし、周波数帯域を追加できた。
ＣＡ技術を用いた通信では、接続処理ができるのは第１のＣＣであるＰＣＣだけに限られている（非特許文献１の７．５章  参照）。
【０００８】
従来のＣＡ技術では、移動局装置は、単一の基地局装置のＰＣＣとＳＣＣを用いて通信を行っていた。従って、ＳＣＣを切断するためには、移動局装置は、ＰＣＣを用いて、基地局装置に対して、ＳＣＣの切断要求通知を送信する。基地局装置は、自装置が受信した切断要求通知に基づいて、自装置でのＳＣＣを用いた通信を切断することができた。
【先行技術文献】
【非特許文献】
【０００９】
【非特許文献１】３ＧＰＰ  ＴＳ  ３６．３００Ｖ１１．０．０  （２０１１−１２）
【発明の概要】
【発明が解決しようとする課題】
【００１０】
しかしながら、非特許文献１に記載の無線通信システムにあっては、ＰＣＣとＳＣＣを用いて通信するのは同じ基地局装置であるため、ＣＡ技術を用いて通信できるＣＣの数は、１つの基地局装置が通信可能なＣＣ数に限定されてしまい、十分な通信速度が得られないことがあるという問題があった。
【００１１】
本発明は、このような事情を鑑みてなされたもので、その目的は、優れた通信速度を有する基地局装置および制御方法を提供することにある。
【課題を解決するための手段】
【００１２】
（１）本発明は上記の課題を解決するためになされたものであり、本発明の一態様は、第１の基地局装置と移動局装置とがプライマリーコンポーネントキャリアを用いて通信しているときに、前記移動局装置と同時に通信する第２の基地局装置であって、前記第２の基地局装置と前記移動局装置との通信を行わない状態にするか否かを判定する判定部と、前記判定部の判定結果に基づいて、前記第２の基地局装置と前記移動局装置との通信を行わない状態にするための第１のメッセージを、前記第１の基地局装置に送信する通信部と、を備え、前記通信部は、前記第１の基地局装置が前記第１のメッセージに基づいて送信する第２のメッセージを受信することを特徴とする。
【００１３】
（２）また、本発明の一態様は、（１）に記載の基地局装置であって、前記判定部は、セルトラフィック量、ユーザ数、無線通信品質、通信制限の少なくともいずれか一つの情報に基づいて、前記移動局装置との通信を行わない状態にするか否かを判定することを特徴とする。
【００１４】
（３）また、本発明の一態様は、（１）または（２）に記載の基地局装置であって、前記第２の基地局装置は、前記第１の基地局装置とＸ２インターフェースで接続されていることを特徴とする。
【００１５】
（４）また、本発明の一態様は、第２の基地局装置と移動局装置とが通信しているときに、前記移動局装置とプライマリーコンポーネントキャリアを用いて同時に通信する第１の基地局装置であって、前記第２の基地局装置と前記移動局装置との通信を行わない状態にするための第１のメッセージを、前記第２の基地局装置から受信する通信部を備え、前記通信部は、受信した前記第１のメッセージに基づいて、第２のメッセージを前記第２の基地局装置に対して送信し、前記第２のメッセージを送信した後に、前記第２の基地局装置と前記移動局装置との通信を行わない状態にするための第３のメッセージを前記移動局装置に対して送信することを特徴とする。
【００１６】
（５）また、本発明の一態様は、（４）に記載の基地局装置であって、前記第１の基地局装置は、前記第２の基地局装置とＸ２インターフェースで接続されていることを特徴とする。
【００１７】
（６）また、本発明の一態様は、第１の基地局装置と移動局装置とがプライマリーコンポーネントキャリアを用いて通信しているときに、前記移動局装置と同時に通信する第２の基地局装置の制御方法であって、前記第２の基地局装置と前記移動局装置との通信を行わない状態にするか否かを判定する第１のステップと、前記判定の結果に基づいて、前記第２の基地局装置と前記移動局装置との通信を行わない状態にするための第１のメッセージを、前記第１の基地局装置に送信する第２のステップと、第１の基地局装置が前記第１のメッセージに基づいて送信する第２のメッセージを受信する第３のステップと、を有することを特徴とする。
【００１８】
（７）また、本発明の一態様は、第２の基地局装置と移動局装置とが通信しているときに、前記移動局装置とプライマリーコンポーネントキャリアを用いて同時に通信する第１の基地局装置の制御方法であって、前記第２の基地局装置と前記移動局装置との通信を行わない状態にするための第１のメッセージを、前記第２の基地局装置から受信する第１のステップと、受信した前記第１のメッセージに基づいて、第２のメッセージを前記第２の基地局装置に対して送信する第２のステップと、前記第２のメッセージを送信した後に、前記第２の基地局装置と前記移動局装置との通信を行わない状態にするための第３のメッセージを前記移動局装置に対して送信する第３ステップと、を有することを特徴とする。
【発明の効果】
【００１９】
本発明によれば、優れた通信速度を有する無線通信システムを提供できる。
【図面の簡単な説明】
【００２０】
【図１】本発明の第１の実施形態、係る無線通信システムの構成の一例を示す概念図である。
【図２】本実施形態に係るキャリアアグリゲーション技術を利用した通信の一例を示す概念図である。
【図３】本実施形態に係るキャリアアグリゲーション技術を利用した通信の切断の一例を示す概念図である。
【図４】本実施形態に係る無線通信システムの構成の一例を示す概念図である。
【図５】本実施形態に係る移動局装置の構成の一例を示す概略ブロック図である。
【図６】本実施形態に係る第１の基地局装置（マクロセル基地局装置）の構成の一例を示す概略ブロック図である。
【図７】本実施形態に係るキャリアアグリゲーション通信判定部の構成の一例を示す概略ブロック図である。
【図８】本実施形態に係る第２の基地局装置（ＨｅＮＢ基地局装置）の構成の一例を示す概略ブロック図である。
【図９】本実施形態に係る移動局装置、および２つの基地局装置におけるコンポーネントキャリア切断の動作の一例を説明するシーケンス図である。
【図１０】本発明の第２の実施形態に係る移動局装置の構成の一例を示す概略ブロック図である。
【図１１】本実施形態に係る第１の基地局装置の構成の一例を示す概略ブロック図である。
【図１２】本実施形態に係る第２の基地局装置の構成の一例を示す概略ブロック図である。
【図１３】本実施形態に係る移動局装置、および２つの基地局装置におけるコンポーネントキャリア切断の動作の一例を説明するシーケンス図である。
【図１４】本発明の第３の実施形態に係る第１の基地局装置の構成の一例を示す概略ブロック図である。
【図１５】本実施形態に係る第２の基地局装置の構成の一例を示す概略ブロック図である。
【図１６】本実施形態に係る移動局装置、および２つの基地局装置におけるコンポーネントキャリア切断の動作の一例を説明するシーケンス図である。
【図１７】本実施形態に係る第１の基地局装置の構成の一例を示す概略ブロック図である。
【図１８】本実施形態に係る第２の基地局装置の構成の一例を示す概略ブロック図である。
【図１９】本実施形態に係るキャリアアグリゲーション通信拒否判定部の構成の一例を示す概略ブロック図である。
【図２０】本実施形態に係る移動局装置、および２つの基地局装置におけるコンポーネントキャリア切断の動作の一例を説明するシーケンス図である。
【図２１】本発明の第５の実施形態、および第６の実施形態に係る無線通信システムの構成の一例を示す概念図である。
【図２２】本発明の第５の実施形態に係るキャリアアグリゲーション技術を利用した通信の一例を示す概念図である。
【図２３】本実施形態に係るキャリアアグリゲーションを利用した通信に用いるコンポーネントキャリアを切断する一例を示す概念図である。
【図２４】本実施形態に係る第１の基地局装置の構成の一例を示す概略ブロック図である。
【図２５】本実施形態に係るキャリアアグリゲーション通信切断決定部の構成の一例を示す概略ブロック図である。
【図２６】本実施形態に係る切断対象コンポーネントキャリア決定部の構成の一例を示す概略ブロック図である。
【図２７】本実施形態に係る移動局装置、および３つの基地局装置におけるコンポーネントキャリア切断の動作の一例を説明するシーケンス図である。
【図２８】本実施形態に係る移動局装置、および３つの基地局装置におけるコンポーネントキャリア切断の動作の一例を示すシーケンス図である。
【発明を実施するための形態】
【００２１】
（第１の実施形態）
以下、図面を参照しながら本発明の第１の実施形態について詳しく説明する。
図１は、本発明の第１の実施形態に係る無線通信システムＳ１の構成の一例を示す概念図である。
無線通信システムＳ１は、移動局装置１、マクロセル基地局装置（第１の基地局装置）２−１、マクロセル基地局装置２−２、ＨｅＮＢ（Ｈｏｍｅ  ｅＮｏｄｅＢ）基地局装置（第２の基地局装置）３−１、ＨｅＮＢ基地局装置３−２、およびＨｅＮＢ基地局装置３−３を含んで構成される。
【００２２】
マクロセル基地局装置２−１、およびマクロセル基地局装置２−２は、それぞれセルＣＥ１−１、ＣＥ１−２を通信範囲としている。セルＣＥ１−１、セルＣＥ１−２は、各々のセルが互いに重複する部分を含んでいる。ＨｅＮＢ基地局装置３−１、ＨｅＮＢ基地局装置３−２、およびＨｅＮＢ基地局装置３−３は、それぞれセルＣＥ２−１、ＣＥ２−２、およびＣＥ２−３を通信範囲としている。セルＣＥ２−１、セルＣＥ２−２、セルＣＥ２−３は、セルＣＥ１−１の通信範囲に含まれている。
【００２３】
マクロセル基地局装置２−１と、ＨｅＮＢ基地局装置３−１とは、それぞれ１つの周波数帯域を用いて移動局装置１と通信する。これらの周波数帯域各々は、コンポーネントキャリア（ＣＣ）ともいい、その帯域幅の最大は２０ＭＨｚである。また、マクロセル基地局装置２−１、およびＨｅＮＢ基地局装置３−１が用いる周波数帯域（ＣＣ）は、互いに異なる。
【００２４】
移動局装置１は、マクロセル基地局装置２−１の第１のＣＣ、およびＨｅＮＢ基地局装置３−１の第２のＣＣを用いてキャリアアグリゲーション（ＣＡ）技術を利用して通信をしている。なお、以下では、マクロセル基地局装置２−１の第１のＣＣをプライマリーコンポーネントキャリア（ＰＣＣ）とし、ＨｅＮＢ基地局装置３−１の第２のコンポーネントキャリアをセカンダリーコンポーネントキャリア（ＳＣＣ）とする。移動局装置１は、そのＰＣＣおよびＳＣＣを利用して、ＣＡ技術を利用した通信をするものとして説明する。ここで、ＰＣＣは、ＰＵＣＣＨを送信するＣＣであり、ＳＣＣは、ＰＵＣＣＨを送信しないＣＣである。また、ＣＡ技術を利用した通信を、以下では、ＣＡ通信とも称する。
【００２５】
また、以下の説明において、符号を付けずに移動局装置と記載することがあるが、これは移動局装置１に限定されず、その他の移動局装置を含んでいることを表す。符号を付さない基地局装置も同様に、マクロセル基地局装置２−１、マクロセル基地局装置２−２、ＨｅＮＢ基地局装置３−１、ＨｅＮＢ基地局装置３−２、およびＨｅＮＢ基地局装置３−３に限定されず、その他の基地局装置を含んでいることを表す。また、マクロセル基地局装置２−１、マクロセル基地局装置２−２をマクロセル基地局装置２と総称することがあり、ＨｅＮＢ基地局装置３−１、ＨｅＮＢ基地局装置３−２、ＨｅＮＢ基地局装置３−３をＨｅＮＢ基地局装置３と総称することがある。
【００２６】
図２は本発明の第１の実施形態に係るＣＡ通信の一例を示す概念図である。
移動局装置１は、マクロセル基地局装置２−１のＣＣおよびＨｅＮＢ基地局装置３−１のＣＣを利用して、ＣＡ通信を行っている。図２において、移動局装置１は、周波数帯域Ｆ１ａ、Ｆ２ａを用いてマクロセル基地局装置２−１、およびＨｅＮＢ基地局装置３−１と通信している。マクロセル基地局装置２−１は、周波数帯域Ｆ１を用いて移動局装置１と通信している。周波数帯域Ｆ１、Ｆ１ａは、同一の周波数帯域である。ＨｅＮＢ基地局装置３−１は、周波数帯域Ｆ２を用いて移動局装置１と通信する。周波数帯域Ｆ２、Ｆ２ａは、同一の周波数帯域である。ここで、移動局装置１は、周波数帯域Ｆ１ａをＰＣＣ、周波数帯域Ｆ２ａをＳＣＣとしてＣＡ通信に利用する。
【００２７】
図３は、マクロセル基地局装置２−１から移動局装置１へのＳＣＣ切断要求に対し、移動局装置１がＳＣＣ切断処理を行ったときの一例を示す図である。
移動局装置１は、のマクロセル基地局装置２−１、ＨｅＮＢ基地局装置３−１と通信する。ここで、移動局装置１は、マクロセル基地局装置２−１に対して、周波数帯域Ｆ２ａのＳＣＣ切断処理を行う。具体的には、マクロセル基地局装置２−１は、ＣＡ通信を行うか否かを判定する。ＣＡ通信を行わないと判断した場合、もしくはＳＣＣを切断すべきであると判定した場合、マクロセル基地局装置２−１は、移動局装置１にＳＣＣ切断要求を送信する。移動局装置１は、該ＳＣＣ切断要求を受信すると、ＳＣＣを切断する。これにより、移動局装置１は、マクロセル基地局装置２−１とＰＣＣを利用して、通信する。
【００２８】
図４は、本実施形態に係る無線通信システムＳ２の構成の一例を示す概念図である。
無線通信システムＳ２は、移動局装置１、マクロセル基地局装置２、ＨｅＮＢ基地局装置３、およびコアネットワーク交換機４を含んで構成される。なお、ＨｅＮＢ−ＧＷ（Ｈｏｍｅ  ｅＮｏｄｅＢ  Ｇａｔｅｗａｙ）に複数のＨｅＮＢ基地局装置が接続してもよい。
マクロセル基地局装置２、ＨｅＮＢ基地局装置３は、それぞれセルＣＥ１−１、ＣＥ２−１を通信範囲としている。ここでセルＣＥ２−１は、セルＣＥ１−１の通信範囲に含まれる。マクロセル基地局装置２、ＨｅＮＢ基地局装置３は、それぞれ一つのＣＣを用いて移動局装置１と通信する。
【００２９】
移動局装置１は、マクロセル基地局装置２、ＨｅＮＢ基地局装置３と無線通信する。なお、移動局装置１は、例えば、マクロセル基地局装置２のＣＣとＨｅＮＢ基地局装置３のＣＣのように、複数の基地局装置のＣＣを利用してＣＡ通信する。
マクロセル基地局装置２、ＨｅＮＢ基地局装置３は、それぞれコアネットワーク交換機４に光回線または、固定電話回線などのネットワークを介して接続されている。
【００３０】
図５は、本実施形態に係る移動局装置１の構成の一例を示す概略ブロック図である。
移動局装置１は、送受信アンテナ１００、無線部１０１、ＣＡ通信情報記憶部１０２、送受信部１０３、基本機能部１０４、およびＳＣＣ切断処理部１０５を含んで構成される。また、移動局装置１は、その他、移動局装置の一般的な公知の機能を備える。移動局装置１は、マクロセル基地局装置２、およびＨｅＮＢ基地局装置３と無線通信する。
【００３１】
無線部１０１は、送受信アンテナ１００から受信した信号をダウンコンバートし、送受信部１０３へ出力する。また無線部１０１は、送受信部１０３から入力された信号をアップコンバートし、送受信アンテナ１００を介して送信する。
ＣＡ通信情報記憶部１０２は、ＣＡ通信情報を記憶する。ここで、ＣＡ通信情報とは、例えば、各基地局装置のＩＤ、移動局装置のＩＤ、各基地局装置のセルＩＤ、各々のＣＣの周波数帯域、帯域幅などの情報のことである。
【００３２】
送受信部１０３は、基本機能部１０４およびＳＣＣ切断処理部１０５から入力された通信情報を変調する。ここで、通信情報とは、例えば、通話などの音声通信に関する情報や画像およびテキスト通信に関する情報のことである。送受信部１０３は、ＣＡ通信情報記憶部１０２が記憶するＣＡ通信情報を読み出して、変調した通信情報を、無線リソース（時間、周波数）にマッピングし、無線部１０１に出力する。
【００３３】
送受信部１０３は、ＣＡ通信情報記憶部１０２が記憶するＣＡ通信情報を読み出して、無線部１０１から入力された通信信号を、無線リソースにデマッピングする。送受信部１０３は、デマッピングした通信信号を復調する。送受信部１０３は復調した通信信号を、基本機能部１０４に出力する。
送受信部１０３は、ＳＣＣの切断に関する制御情報をＳＣＣ切断処理部１０５に出力する。
【００３４】
基本機能部１０４は、音声通信、画像およびテキスト通信などに対して、通話や画像およびテキストの表示などを行う。ここで、基本機能部１０４は、例えば、マイクロフォン、スピーカー、ディスプレイ、入力キー、タッチパネルなどのユーザへの情報の提示およびユーザからの情報の入力を行うための機能を有する。
ＣＡ通信情報記憶部１０２は、送受信部１０３から入力された通信情報に基づき、基地局装置のＩＤ、各ＣＣの周波数バンド、帯域幅などのＣＡ情報を記憶する。ＳＣＣ切断処理部１０５は、マクロセル基地局装置２からＳＣＣ切断要求受信すると、ＳＣＣの切断処理を行う。
【００３５】
具体的には、マクロセル基地局装置２からＳＣＣ切断要求を受信すると、ＳＣＣ切断要求の中に含まれる切断対象のＨｅＮＢ基地局装置３のＩＤ、セルＩＤ、周波数帯域、帯域幅などの情報を用いて、ＣＡ通信情報記憶部１０２からＣＡ通信情報を読み出し、切断対象のＨｅＮＢ基地局装置３のＩＤ、セルＩＤ、周波数帯域、帯域幅などの情報を削除し、ＣＡ通信情報記憶部１０２のＣＡ通信情報を更新する。
【００３６】
図６は、本実施形態に係るマクロセル基地局装置２の構成の一例を示す概略ブロック図である。
マクロセル基地局装置２は、送受信アンテナ２００、無線部２０１、データ通信部２０２、送受信部２０３、ＣＡ通信情報記憶部２０４、ＳＣＣ切断要求部２０５、ＳＣＣ切断準備要求部２０６、切断準備要求処理部２０７、ネットワーク通信部２０８、およびＣＡ通信判定部２１を含んで構成される。また、マクロセル基地局装置２は、その他、基地局装置の一般的な公知の機能を備える。
【００３７】
無線部２０１は送受信アンテナ２００から受信した信号をダウンコンバートし、送受信部２０３へ出力する。また、無線部２０１は、送受信部２０３から入力された信号をアップコンバートし、送受信アンテナ２００を介して送信する。
データ通信部２０２は、各々の基地局装置とデータ通信を行う。データ通信部２０２は、移動局装置１とデータ通信を行う。
【００３８】
送受信部２０３は、データ通信部２０２から入力された通信情報を変調する。送受信部２０３は、ＣＡ通信情報記憶部２０４からＣＡ通信情報を読み出して、変調した通信情報を、無線リソースにマッピングする。送受信部２０３は、マッピングした通信信号を無線部２０１に出力する。
【００３９】
送受信部２０３は、ＣＡ通信情報記憶部２０４が記憶するＣＡ通信情報を読み出して、無線部２０１から入力された通信信号を、無線リソースにデマッピングする。送受信部２０３は、デマッピングした通信信号を復調する。送受信部２０３は復調した通信信号を、データ通信部２０２に出力する。
送受信部２０３は、ＳＣＣの切断に関する制御情報をＣＡ通信判定部２１に出力する。
【００４０】
ＣＡ通信情報記憶部２０４は、ＣＡ通信情報を記憶する。
ＣＡ通信判定部２１は、例えば、移動局装置１とマクロセル基地局装置２、移動局装置１とＨｅＮＢ基地局装置３の通信量を測定する。ここで、通信量とは、例えば、移動局装置と基地局装置との上り／下り通信データ量、各基地局装置のセルトラフィック量、通信に使用している呼種（通信ベアラ）、通信制限などに関する情報である。ＣＡ通信判定部２１は、通信量の測定結果が閾値以下であるか否かを判定する。通信量の測定結果が閾値以下である場合、ＣＡ通信判定部２１は、ＣＡ通信の切断を決定する。ＣＡ通信判定部２１の動作についての説明は後述する。
【００４１】
切断準備要求部２０６は、ＣＡ通信判定部２１の判定結果によって、ＳＣＣ切断準備要求を生成し、ネットワーク通信部２０８を介してＨｅＮＢ基地局装置３に送信する。切断準備要求処理部２０７は、ＨｅＮＢ基地局装置３からネットワーク通信部２０８を介して、切断準備要求に対する切断準備ＡＣＫを受信する。切断準備要求処理部２０７は、ＨｅＮＢ基地局装置３から切断準備ＡＣＫを受信すると、ＳＣＣ切断要求部２０５に切断要求を作成させる指示を出す。
【００４２】
ＳＣＣ切断要求部２０５は、ＣＡ通信情報記憶部２０４からＣＡ通信情報を読み出し、ＳＣＣ切断要求を生成する。ＳＣＣ切断要求部２０５は、読み出したＣＡ通信情報と、生成したＳＣＣ切断要求と、を移動局装置１に送信する。ＳＣＣ切断要求部２０５は、切断するＨｅＮＢ基地局装置３のＣＡ通信情報をＣＡ通信情報記憶部２０４から削除する。
【００４３】
図７は、本実施形態に係るマクロセル基地局装置２におけるＣＡ通信判定部２１の構成の一例を示す概略ブロック図である。
ＣＡ通信判定部２１は、閾値記憶部２１１、呼種記憶部２１２、アプリケーション使用量記憶部２１３、セルトラフィック量検出部２１４、データ量検出部２１５、呼種判定部２１６、およびアプリケーション使用量判定部２１７を含んで構成される。
【００４４】
閾値記憶部２１１は、ＨｅＮＢ基地局装置３のセルトラフィック量に関する閾値、マクロセル基地局装置２のセルトラフィック量に関する閾値、移動局装置１へ送信すべき下りデータ量に関する閾値、移動局装置１から送信される上りデータ量に関する閾値を記憶している。呼種記憶部２１２は、呼種に関する情報を記憶している。アプリケーション使用量記憶部２１３は、アプリケーション使用量に関する情報を記憶している。
【００４５】
セルトラフィック量検出部２１４は、ＨｅＮＢ基地局装置３のセルトラフィック量に関する閾値を閾値記憶部２１１から読み出す。セルトラフィック量検出部２１４は、ＨｅＮＢ基地局装置３のセルトラフィック量が閾値以上か否かを判定する。ＨｅＮＢ基地局装置３のセルトラフィック量が閾値以上である場合、すなわち、ＨｅＮＢ基地局装置３がビジー状態である場合、セルトラフィック量検出部２１４は、ＣＡ通信の切断を決定する。セルトラフィック量検出部２１４は、マクロセル基地局装置２のセルトラフィック量に関する閾値を閾値記憶部２１１から読み出す。セルトラフィック量検出部２１４は、マクロセル基地局装置２のセルトラフィック量が閾値以下か否かを判定する。マクロセル基地局装置２のセルトラフィック量が閾値以下である場合、例えば、マクロセル基地局装置２がビジー状態でない場合、セルトラフィック量検出部２１４は、ＣＡ通信の切断を決定する。セルトラフィック量検出部２１４は、セルトラフィック量に関する判定結果を切断準備要求部２０６に出力する。
ここで、セルトラフィック量検出部２１４は、マクロセル基地局装置２のセルトラフィック量が閾値以下である場合、もしくはＨｅＮＢ基地局装置３のセルトラフィック量が閾値以上である場合の少なくともどちらか一方に該当する場合、ＣＡ通信の切断を決定する。
【００４６】
データ量検出部２１５は、移動局装置１へ送信すべき下りデータ量に関する閾値を閾値記憶部２１１から読み出す。データ量検出部２１５は、下りデータ量が閾値以下か否かを判定する。移動局装置１へ送信すべき下りデータ量、例えば、マクロセル基地局装置２のバッファに蓄積されている移動局装置１向けのデータ量が閾値以下である場合、データ量検出部２１５は、ＣＡ通信の切断を決定する。データ量検出部２１５は、移動局装置１から送信される上りデータ量に関する閾値を閾値記憶部２１１から読み出す。
【００４７】
データ量検出部２１５は、移動局装置１から送信される上りデータ量が閾値以下か否かを判定する。移動局装置１から送信される上りデータ量、例えば、移動局装置１から通知される移動局装置１のバッファに蓄積されているデータ量が閾値以下である場合、データ量検出部２１５は、ＣＡ通信の切断を決定する。データ量検出部２１５は、データ量に関する判定結果を切断準備要求部２０６に出力する。
ここで、データ量検出部２１５は、下りデータ量が閾値以下である場合、もしくは上りデータ量が閾値以下である場合の少なくともどちらか一方に該当する場合、ＣＡ通信の切断を決定する。あるいは、両方に該当する場合、ＣＡ通信の切断を決定する。また、例えば、下りデータ量が閾値以上であるが、上りデータ量が閾値以下である場合には、上りで使用しているＳＣＣのみの切断を決定してもよい。
【００４８】
呼種判定部２１６は、通信中の呼種に関する情報を呼種記憶部２１２から読み出す。呼種判定部２１６は、通信中の呼種の変化に対してＣＡ通信を切断するか否かを判定する。例えば、大容量の呼種から小容量の呼種に切り替わった場合、呼種判定部２１６は、ＣＡ通信を切断すると判定する。すなわち、呼種判定部２１６は、通信接続時に基地局装置から移動局装置にどの呼種で通信接続を行うかを指示する。このため、移動局装置と基地局装置が通信を開始したときに、呼種記憶部２１２は、呼種を呼種記憶部２１２に記憶させる。呼種判定部２１６は、判定結果を切断準備要求部２０６に出力する。
【００４９】
アプリケーション使用量判定部２１７は、アプリケーション使用量記憶部２１３から使用しているアプリケーションの数を読み出す。アプリケーション使用量判定部２１７は、使用中のアプリケーション数に応じＣＡ通信を切断するか否かを判定する。例えば、複数のアプリケーションを同時に使用中から１つのアプリケーションの使用を中断した場合、アプリケーション使用量判定部２１７はＣＡ通信を切断すると判定する。
【００５０】
具体的には、移動局装置１にインストールされているアプリケーション、例えば、ファイル交換アプリケーションでファイルをダウンロード中に、別のゲームアプリケーションなどを使用するような２つのアプリケーションを使用している。このとき、ゲームアプリケーションを終了または、使用を中断した場合、ＣＡ通信を切断すると判定する。
アプリケーション使用量判定部２１７は、変化したアプリケーション数をアプリケーション使用量記憶部２１３に記憶する。アプリケーション使用量判定部２１７は、判定結果を切断準備要求部２０６へ出力する。
【００５１】
なお、本実施形態では、セルトラフィック量検出部２１４、データ量検出部２１５、呼種判定部２１６、アプリケーション使用量判定部２１７の少なくともいずれかの１つの判定に該当する場合、ＣＡ通信の切断を決定しているが、他の条件、例えば、通信環境に関する情報や無線通信品質、ビットレートなどを用いてもよい。ここで、通信環境に関する情報とは、例えば、ＣＣ毎のビット誤り率やパケット誤り率、スループットなどの情報である。また、ＳＣＣを切断すると記載しているが非活性化することでもよい。
【００５２】
図８は、本実施形態に係るＨｅＮＢ基地局装置３の構成の一例を示す概略ブロック図である。
ＨｅＮＢ基地局装置３は、送受信アンテナ３００、無線部３０１、データ通信部３０２、送受信部３０３、切断準備要求処理部３０４、およびネットワーク通信部３０５を含んで構成される。また、ＨｅＮＢ基地局装置３は、その他、基地局装置の一般的な公知の機能を備える。
【００５３】
無線部３０１は送受信アンテナ３００から受信した信号をダウンコンバートし、送受信部３０３へ出力する。また、無線部３０１は、送受信部３０３から入力された信号をアップコンバートし、送受信アンテナ３００を介して送信する。
データ通信部３０２は、各々の基地局装置とデータ通信を行う。データ通信部３０２は、移動局装置１とデータ通信を行う。
【００５４】
送受信部３０３は、データ通信部３０２から入力された通信情報を変調する。送受信部３０３は、予め決められた周波数帯域（例えば、ＣＣ）の割り当てを用いて、無線リソースにマッピングする。送受信部３０３は、マッピングした通信信号を無線部３０１に出力する。
送受信部３０３は、予め決められた周波数帯域（例えば、ＣＣ）の割り当てを用いて、無線部３０１から入力された通信信号を、無線リソースにデマッピングする。送受信部３０３は、デマッピングした通信信号を復調する。送受信部３０３は復調した通信信号を、データ通信部３０２に出力する。
【００５５】
切断準備要求処理部３０４は、ネットワーク通信部３０５を介し、マクロセル基地局装置２から切断準備要求を受信すると、ＳＣＣの切断準備を行う。切断準備要求処理部３０４は、ネットワーク通信部３０５を介し、マクロセル基地局装置２に対し、切断準備ＡＣＫを送信する。なお、本実施形態では、マクロセル基地局装置２とＨｅＮＢ基地局装置３との間の通信はコアネットワーク交換機４、すなわちＳ１インターフェース経由でネットワーク通信を行っているが、マクロセル基地局装置２とＨｅＮＢ基地局装置３との間で直接通信可能なＸ２インターフェース経由でネットワーク通信を行ってもよい。
【００５６】
図９は、本実施形態に係る移動局装置１、および２つの基地局装置におけるコンポーネントキャリア切断の動作の一例を説明するシーケンス図である。
マクロセル基地局装置２とＨｅＮＢ基地局装置３との間の通信は、各基地局装置におけるネットワーク通信部２０８、３０５を介して行われるが、以下の説明においては省略する。また、マクロセル基地局装置２、ＨｅＮＢ基地局装置３と移動局装置１との間の通信は、送受信アンテナ１００、２００、３００、無線部１０１、２０１、３０１、送受信部１０３、２０３、３０３を介して行われるが以下の説明においては省略する。
【００５７】
移動局装置１は、マクロセル基地局装置２との通信に用いるＰＣＣ（周波数帯域Ａ）と、ＨｅＮＢ基地局装置３との通信に用いるＳＣＣ（周波数帯域Ｂ）とを用いてＣＡ通信を行っている（ＳＴ１０１）。
マクロセル基地局装置２のＣＡ通信判定部２１が通信量に関する情報の測定結果からＣＡ通信の切断を決定する（ＳＴ１０２）。
【００５８】
マクロセル基地局装置２の切断準備要求部２０６は、ＣＡ通信判定部２１がＣＡ通信の切断を決定すると、ＨｅＮＢ基地局装置３に切断準備要求を送信する（ＳＴ１０３）。
ＨｅＮＢ基地局装置３の切断準備要求処理部３０４は、マクロセル基地局装置２から切断準備要求を受信すると、ＳＣＣの切断準備を行い、マクロセル基地局装置２に切断準備ＡＣＫを送信する（ＳＴ１０４）。
【００５９】
マクロセル基地局装置２のＳＣＣ切断要求部２０５は、ＨｅＮＢ基地局装置３から受信した切断準備ＡＣＫに基づき、移動局装置１にＳＣＣ切断要求を送信する（ＳＴ１０５）。
移動局装置１のＳＣＣ切断処理部１０５は、マクロセル基地局装置２から切断要求を受信すると、ＨｅＮＢ基地局装置３との通信を切断する（ＳＴ１０６）。
移動局装置１は、マクロセル基地局装置２とＰＣＣを用いて通信を行う（ＳＴ１０７）。
【００６０】
このように、本実施形態では、マクロセル基地局装置２と、ＨｅＮＢ基地局装置３と、マクロセル基地局装置２と第１のコンポーネントキャリアを用いて通信し、ＨｅＮＢ基地局装置３と第２のコンポーネントキャリアを用いて通信する移動局装置１と、を具備する無線通信システムである。マクロセル基地局装置２の切断準備要求部は、第２のコンポーネントキャリアの切断準備要求を、ＨｅＮＢ基地局装置３に送信する。これにより、優れた通信速度を有する無線通信システムを提供できる。
【００６１】
なお、本実施形態では、マクロセル基地局装置２が主導基地局装置となりＰＣＣを利用し、ＨｅＮＢ基地局装置３がＳＣＣを利用した場合について述べているが、ＨｅＮＢ基地局装置３が主導基地局装置となりＰＣＣを利用してもよいし、他のＨｅＮＢ基地局装置を主導基地局装置としてＰＣＣを利用し、ＨｅＮＢ基地局装置３がＳＣＣを利用してもよい。また、主導基地局装置がスケジューリング管理を行うものとして構成しているが、変形例としては、コアネットワーク交換機４がスケジューリング管理を行ってもよい。
【００６２】
また、本実施形態では、ＳＣＣを切断すると記載しているが、非活性化し、該ＳＣＣをモニタリングすることでもよい。ここで、「非活性化する」とは、データ通信、および制御信号などの送受信を行わない状態にすることである。例えば、周期的に非活性化したＳＣＣのリファレンスシグナル（パイロットシンボル）を受信する。該ＣＣの受信品質の測定を行わないときには、該ＳＣＣの受信系電源のオフを行ってもよい。なお、非活性化しても、必ずしもモニタリングをしなくてもよい。
【００６３】
（第２の実施形態）
以下、図面を参照しながら本発明の第２の実施形態について詳しく説明する。
本発明の第２の実施形態におけるＣＡ通信の一例は図２、および図３と同様であるので説明は省略する。また、本実施形態における無線通信システムＳ２は、図４における無線通信システムＳ２と同様であるので説明は省略する。
【００６４】
図１０は、本実施形態に係る移動局装置１ａの構成の一例を示す概略ブロック図である。
移動局装置１ａと第１の実施形態における移動局装置１とを比較すると、切断処理通知部１０６ａが異なる。そのほかの構成は、第１の実施形態と同様であるので、説明は省略する。移動局装置１ａは、マクロセル基地局装置２ａ、およびＨｅＮＢ基地局装置３ａと無線通信を行う。
【００６５】
切断処理通知部１０６ａは、ＨｅＮＢ基地局装置３ａから切断要求を受信すると、ＳＣＣの切断処理を行う。具体的には、移動局装置１ａは、ＨｅＮＢ基地局装置３ａからＳＣＣ切断要求を受信すると、ＳＣＣ切断要求の中に含まれる切断対象のＨｅＮＢ基地局装置３ａのＩＤ、セルＩＤ、周波数帯域、帯域幅などの情報を用いて、ＣＡ通信情報記憶部１０２からＣＡ通信情報を読み出し、切断対象のＨｅＮＢ基地局装置３のＩＤ、セルＩＤ、周波数帯域、帯域幅などの情報を削除し、ＣＡ通信情報記憶部１０２のＣＡ通信情報を更新する。切断処理通知部１０６ａは、マクロセル基地局装置２ａにＳＣＣ切断処理通知を送信する。
【００６６】
図１１は、本実施形態に係るマクロセル基地局装置２ａの構成の一例を示す概略ブロック図である。
マクロセル基地局装置２ａと、第１の実施形態におけるマクロセル基地局装置２とを比較すると、切断処理通知処理部２０９ａが異なる。そのほかの構成は、第１の実施形態と同様であるので、説明は省略する。
【００６７】
切断処理通知処理部２０９ａは、移動局装置１ａから受信した切断処理通知に基づき、ＳＣＣを切断する通知が移動局装置１ａ、ＨｅＮＢ基地局装置３ａに周知できたと判定し、移動局装置１ａに切断処理ＡＣＫを送信する。
【００６８】
図１２は、本実施形態に係るＨｅＮＢ基地局装置３ａの構成の一例を示す概略ブロック図である。
ＨｅＮＢ基地局装置３ａと、ＨｅＮＢ基地局装置３とを比較すると、ＳＣＣ切断要求部３０６ａが異なる。そのほかの構成は、第１の実施形態と同様であるので、説明は省略する。
ＳＣＣ切断要求部３０６ａは、マクロセル基地局装置２ａから受信した切断準備要求に基づき、ＳＣＣの切断準備を行い、移動局装置１ａにＳＣＣ切断要求を送信する。
【００６９】
図１３は、本実施形態に係る移動局装置１ａ、および２つの基地局装置におけるコンポーネントキャリア切断の動作の一例を説明するシーケンス図である。
マクロセル基地局装置２ａとＨｅＮＢ基地局装置３ａとの間の通信は、各基地局装置におけるネットワーク通信部２０８、３０５を介して行われるが、以下の説明においては省略する。また、マクロセル基地局装置２ａ、ＨｅＮＢ基地局装置３ａと移動局装置１ａとの間の通信は、送受信アンテナ１００、２００、３００、無線部１０１、２０１、３０１、送受信部１０３、２０３、３０３を介して行われるが以下の説明においては省略する。
【００７０】
移動局装置１ａは、マクロセル基地局装置２ａとの通信に用いるＰＣＣ（周波数帯域Ａ）と、ＨｅＮＢ基地局装置３ａとの通信に用いるＳＣＣ（周波数帯域Ｂ）とを用いてＣＡ通信を行っている（ＳＴ１０１）。
マクロセル基地局装置２ａのＣＡ通信判定部２１が通信量に関する情報の測定結果から、ＣＡ通信の切断を決定する（ＳＴ１０２）。
【００７１】
マクロセル基地局装置２ａの切断準備要求部２０６は、ＣＡ通信判定部２１がＣＡ通信の切断を決定すると、ＨｅＮＢ基地局装置３ａに切断準備要求を送信する（ＳＴ１０３）。
ＨｅＮＢ基地局装置３ａの切断準備要求処理部３０４は、マクロセル基地局装置２ａから切断準備要求を受信すると、ＳＣＣの切断準備を行い、マクロセル基地局装置２ａに切断準備ＡＣＫを送信する（ＳＴ１０４）。
【００７２】
ＨｅＮＢ基地局装置３ａのＳＣＣ切断要求部３０６ａは、マクロセル基地局装置２ａから切断準備要求を受信すると、移動局装置１ａにＳＣＣ切断要求を送信する（ＳＴ１０５）。
移動局装置１ａの切断処理通知部１０６ａは、ＨｅＮＢ基地局装置３ａからＳＣＣ切断要求を受信すると、ＳＣＣの切断処理を行う。移動局装置１ａの切断処理通知部１０６ａは、マクロセル基地局装置２ａに切断処理する通知を送信するためにＳＣＣ切断処理通知を作成する。移動局装置１ａの切断処理通知部１０６ａは、マクロセル基地局装置２ａにＳＣＣ切断処理通知を送信する（ＳＴ１０８）。
【００７３】
マクロセル基地局装置２ａのＳＣＣ切断処理通知処理部２０９ａは、移動局装置１ａからＳＣＣ切断処理通知を受信すると、移動局装置１ａに切断処理ＡＣＫを送信する（ＳＴ１０９）。
移動局装置１ａの切断処理通知部１０６ａは、マクロセル基地局装置２ａから切断処理ＡＣＫを受信すると、ＳＣＣの切断処理を行い、ＨｅＮＢ基地局装置３ａとの通信を切断する（ＳＴ１０６）。
移動局装置１ａは、マクロセル基地局装置２ａと通信を行う（ＳＴ１０７）。
【００７４】
このように、本実施形態では、マクロセル基地局装置２ａと、ＨｅＮＢ基地局装置３ａと、マクロセル基地局装置２ａおよびＨｅＮＢ基地局装置３ａと通信する移動局装置１ａと、を具備する無線通信システムである。移動局装置１ａは、マクロセル基地局装置２ａとの通信に用いる第１のＣＣと、ＨｅＮＢ基地局装置３ａとの通信に用いる第２のＣＣと、を用いてＣＡ技術を利用して通信を行っている。切断準備要求部２０６は、ＣＡ技術を利用した通信に用いるＣＣの中から第２のＣＣを切断する準備をさせる切断準備要求を、ＨｅＮＢ基地局装置３ａに送信する。
【００７５】
ＨｅＮＢ基地局装置３ａは、マクロセル基地局装置２ａから送信された第２のＣＣの切断準備要求を受信すると、第２のＣＣを切断させる切断要求を移動局装置１ａに送信する。すなわち、ＳＣＣ切断要求部３０６ａは切断準備要求に基づいて、前記第２のＣＣを切断させる切断要求を移動局装置１ａに送信する。移動局装置１ａは、ＨｅＮＢ基地局装置３ａから送信された第２のＣＣの切断要求を受信すると、第２のＣＣの切断する通知を、マクロセル基地局装置２ａに送信する。移動局装置１ａは、切断要求を受信すると、ＣＡ技術を利用して通信を行っているＣＣの中から第２のＣＣを切断する。これにより、優れた通信速度を有する無線通信システムを提供できる。
【００７６】
なお、本実施形態では、マクロセル基地局装置２ａが主導基地局装置となりＰＣＣを利用し、ＨｅＮＢ基地局装置３ａがＳＣＣを利用した場合について述べているが、ＨｅＮＢ基地局装置３ａが主導基地局装置となりＰＣＣを利用してもよいし、他のＨｅＮＢ基地局装置を主導基地局装置としてＰＣＣを利用し、ＨｅＮＢ基地局装置３ａがＳＣＣを利用してもよい。また、主導基地局装置がスケジューリング管理を行うものとして構成しているが、変形例としては、コアネットワーク交換機４がスケジューリング管理を行ってもよい。
【００７７】
また、本実施形態では、ＳＣＣを切断すると記載しているが、非活性化し、該ＳＣＣをモニタリングすることでもよい。ここで、「非活性化する」とは、データ通信、および制御信号などの送受信を行わない状態にすることである。例えば、周期的に非活性化したＳＣＣのリファレンスシグナル（パイロットシンボル）を受信する。該ＣＣの受信品質の測定を行わないときには、該ＳＣＣの受信系電源のオフを行ってもよい。なお、非活性化しても、必ずしもモニタリングをしなくてもよい。
【００７８】
（第３の実施形態）
以下、図面を参照しながら本発明の第３の実施形態について詳しく説明する。
本発明の第３の実施形態におけるＣＡ通信の一例は図２、および図３と同様であるので説明は省略する。また、本実施形態における無線通信システムＳ２は、図４における無線通信システムＳ２と同様であるので説明は省略する。また、本実施形態における移動局装置１の構成は、第１の実施形態の移動局装置１と同様の構成であるので、説明は省略する。移動局装置１は、マクロセル基地局装置２ｂ、およびＨｅＮＢ基地局装置３ｂと無線通信を行う。
【００７９】
図１４は、本実施形態に係るマクロセル基地局装置２ｂの構成の一例を示す概略ブロック図である。
マクロセル基地局装置２ｂと、第２の実施形態におけるマクロセル基地局装置２ａとを比較すると、切断準備要求処理部２０７が異なる。そのほかの構成は、第２の実施形態におけるマクロセル基地局装置２ａと同様であるので、説明は省略する。また、マクロセル基地局装置２ｂの切断準備要求処理部２０７は、第１の実施形態におけるマクロセル基地局装置２の切断準備要求処理部２０７と同様であるので、説明は省略する。
【００８０】
図１５は、本実施形態に係るＨｅＮＢ基地局装置３ｂの構成の一例を示す概略ブロック図である。
ＨｅＮＢ基地局装置３ｂと第２の実施形態におけるＨｅＮＢ基地局装置３ａとを比較すると、ＳＣＣ切断処理通知部３０７ｂが異なる。そのほかの構成は、第２の実施形態のＨｅＮＢ基地局装置３ａと同様であるので、説明は省略する。
ＳＣＣ切断処理通知部３０７ｂは、マクロセル基地局装置２ｂから切断準備要求を受信すると、ＳＣＣの切断処理を行う。ＳＣＣ切断処理通知部３０７ｂは、マクロセル基地局装置２ｂにＳＣＣの切断処理を通知するため、ＳＣＣ切断処理通知を作成する。ＳＣＣ切断処理通知部３０７ｂは、マクロセル基地局装置２ｂにＳＣＣ切断処理通知を送信する。
【００８１】
図１６は、本実施形態に係る移動局装置１、および２つの基地局装置におけるコンポーネントキャリア切断の動作の一例を説明するシーケンス図である。
マクロセル基地局装置２ｂとＨｅＮＢ基地局装置３ｂとの間の通信は、各基地局装置におけるネットワーク通信部２０８、３０５を介して行われるが、以下の説明においては省略する。また、マクロセル基地局装置２ｂ、ＨｅＮＢ基地局装置３ｂと移動局装置１との間の通信は、送受信アンテナ１００、２００、３００、無線部１０１、２０１、３０１、送受信部１０３、２０３、３０３を介して行われるが以下の説明においては省略する。
【００８２】
移動局装置１は、マクロセル基地局装置２ｂとの通信に用いるＰＣＣ（周波数帯域Ａ）と、ＨｅＮＢ基地局装置３ｂとの通信に用いるＳＣＣ（周波数帯域Ｂ）とを用いてＣＡ通信を行っている（ＳＴ１０１）。
マクロセル基地局装置２ｂは、ＣＡ通信判定部２１が通信量に関する情報の測定結果から、ＣＡ通信の切断を決定する（ＳＴ１０２）。
マクロセル基地局装置２ｂの切断準備要求部２０６は、ＨｅＮＢ基地局装置３ｂに切断準備要求を送信する（ＳＴ１０３）。
【００８３】
ＨｅＮＢ基地局装置３ｂのＳＣＣ切断要求部３０６ａは、マクロセル基地局装置２ｂから切断準備要求受信すると、移動局装置１にＳＣＣ切断要求を送信する（ＳＴ１０５）。
ＨｅＮＢ基地局装置３ｂのＳＣＣ切断処理通知部３０７ｂは、マクロセル基地局装置２ｂから切断準備要求を受信すると、マクロセル基地局装置２ｂにＳＣＣ切断処理通知を送信する（ＳＴ１０８）。
移動局装置１のＳＣＣ切断処理部１０５は、ＨｅＮＢ基地局装置３ｂからＳＣＣ切断要求を受信すると、ＨｅＮＢ基地局装置３ｂとの通信を切断する（ＳＴ１０６）。
移動局装置１は、マクロセル基地局装置２ｂと通信を行う（ＳＴ１０７）。
【００８４】
このように、本実施形態では、マクロセル基地局装置２ｂと、ＨｅＮＢ基地局装置３ｂと、マクロセル基地局装置２ｂおよびＨｅＮＢ基地局装置３ｂと通信する移動局装置１と、を具備する無線通信システムである。移動局装置１は、マクロセル基地局装置２ｂとの通信に用いる第１のＣＣと、ＨｅＮＢ基地局装置３ｂとの通信に用いる第２のＣＣと、を用いてＣＡ技術を利用して通信を行っている。切断準備要求部２０６は、ＣＡ技術を利用した通信に用いるＣＣの中から第２のＣＣを切断する準備をさせる切断準備要求を、ＨｅＮＢ基地局装置３ｂに送信する。ＨｅＮＢ基地局装置３ｂは、マクロセル基地局装置２ｂから送信された切断準備要求を受信すると、第２のＣＣの切断する通知を、マクロセル基地局装置２ｂに送信する。
【００８５】
ＨｅＮＢ基地局装置３ｂは、マクロセル基地局装置２ｂから送信された第２のＣＣの切断準備要求を受信すると、第２のＣＣを切断させる切断要求を移動局装置１に送信する。すなわち、ＳＣＣ切断要求部３０６ａは切断準備要求に基づいて、前記第２のＣＣを切断させる切断要求を移動局装置１に送信する。移動局装置１は、切断要求を受信すると、ＣＡ技術を利用して通信を行っているＣＣの中から第２のＣＣを切断する。これにより、優れた通信速度を有する無線通信システムを提供できる。
【００８６】
なお、本実施形態では、マクロセル基地局装置２ｂが主導基地局装置となりＰＣＣを利用し、ＨｅＮＢ基地局装置３ｂがＳＣＣを利用した場合について述べているが、ＨｅＮＢ基地局装置３ｂが主導基地局装置となりＰＣＣを利用してもよいし、他のＨｅＮＢ基地局装置を主導基地局装置としてＰＣＣを利用し、ＨｅＮＢ基地局装置３ｂがＳＣＣを利用してもよい。また、主導基地局装置がスケジューリング管理を行うものとして構成しているが、変形例としては、コアネットワーク交換機４がスケジューリング管理を行ってもよい。
【００８７】
また、本実施形態では、ＳＣＣを切断すると記載しているが、非活性化し、該ＳＣＣをモニタリングすることでもよい。ここで、「非活性化する」とは、データ通信、および制御信号などの送受信を行わない状態にすることである。例えば、周期的に非活性化したＳＣＣのリファレンスシグナル（パイロットシンボル）を受信する。該ＣＣの受信品質の測定を行わないときには、該ＳＣＣの受信系電源のオフを行ってもよい。なお、非活性化しても、必ずしもモニタリングをしなくてもよい。
【００８８】
（第４の実施形態）
以下、図面を参照しながら本発明の第４の実施形態について詳しく説明する。
本発明の第４の実施形態におけるＣＡ通信の一例は図２、および図３と同様であるので説明は省略する。また、本実施形態における無線通信システムＳ２は、図４における無線通信システムＳ２と同様であるので説明は省略する。また、本実施形態における移動局装置１の構成は、第１の実施形態における移動局装置１の構成と同様であるので、説明は省略する。
【００８９】
移動局装置１は、マクロセル基地局装置２ｃ、およびＨｅＮＢ基地局装置３ｃと無線通信を行う。
【００９０】
図１７は、本実施形態に係るマクロセル基地局装置２ｃの構成の一例を示す概略ブロック図である。
マクロセル基地局装置２ｃと、第１の実施形態におけるマクロセル基地局装置２とを比較すると、ＣＡ通信拒否要求処理部２２ｃが異なる。そのほかの構成は、第１の実施形態におけるマクロセル基地局装置２と同様であるので、説明は省略する。
ＣＡ通信拒否要求処理部２２ｃは、ＨｅＮＢ基地局装置３ｃからＣＡ通信拒否要求を受信すると、ＣＡ通信拒否要求を受理し、切断準備要求部２０６に出力する。
【００９１】
図１８は、本実施形態に係るＨｅＮＢ基地局装置３ｃの構成の一例を示す概略ブロック図である。
ＨｅＮＢ基地局装置３ｃと、第１の実施形態におけるＨｅＮＢ基地局装置３とを比較すると、ＣＡ通信拒否判定部３２ｃと、ＣＡ通信拒否要求部３０８ｃとが異なる。そのほかの構成は、第１の実施形態におけるＨｅＮＢ基地局装置３と同様であるので、説明は省略する。
【００９２】
ＣＡ通信拒否判定部３２ｃは、通信環境を測定し、測定結果によって、ＣＡ通信を拒否するか否かを判定する。詳細な説明は後述する。ＣＡ通信拒否判定部３２ｃは、ＣＡ通信を拒否するか否かの判定結果をＣＡ通信拒否要求部３０８ｃに出力する。
ＣＡ通信拒否要求部３０８ｃは、ＣＡ通信拒否判定部３２ｃからＣＡ通信を拒否するか否かの判定結果が入力されると、ＣＡ通信拒否要求を作成する。ＣＡ通信拒否要求部３０８ｃは、ネットワーク通信部３０５を介し、マクロセル基地局装置２ｃに作成したＣＡ通信拒否要求を送信する。
【００９３】
図１９は、本実施形態に係るＨｅＮＢ基地局装置３ｃにおけるＣＡ通信拒否判定部３２ｃの構成の一例を示すブロック図である。
ＣＡ通信拒否判定部３２ｃは、閾値記憶部３２１、セルトラフィック量検出部３２２、ユーザ数検出部３２３、通信環境検出部３２４、および通信制限処理部３２５を含んで構成される。
閾値記憶部３２１は、セルトラフィック量に関する閾値、ユーザ数に関する閾値、通信環境に関する閾値を記憶している。セルトラフィック量検出部３２２は、閾値記憶部３２１からセルトラフィック量に関する閾値を読み出す。セルトラフィック量検出部３２２は、ＨｅＮＢ基地局装置３ｃのセルトラフィック量が閾値以上であるか否かを判定する。ＨｅＮＢ基地局装置３ｃのセルトラフィック量が閾値以上である場合、セルトラフィック量検出部３２２は、ＣＡ通信を拒否すると判定する。セルトラフィック量検出部３２２は、ＣＡ通信拒否要求部３０８ｃに判定結果を出力する。
【００９４】
ユーザ数検出部３２３は、閾値記憶部３２１からユーザ数に関する閾値を読み出す。ユーザ数検出部３２３は、利用ユーザ数が閾値以上か否かを判定する。ここで、利用ユーザ数とは、例えば、ＨｅＮＢ基地局装置３ｃをＰＣＣとして通信しているユーザ数、または、更にＳＣＣとして通信しているユーザ数も含めた合計のユーザ数である。利用ユーザ数が閾値以上である場合、ユーザ数検出部３２３は、ＣＡ通信を拒否すると判定する。ユーザ数検出部３２３は、ＣＡ通信拒否要求部３０８ｃに判定結果を出力する。
【００９５】
通信環境検出部３２４は、閾値記憶部３２１から通信環境に関する閾値を読み出す。通信環境検出部３２４は、ＳＣＣの無線通信品質が閾値以下であるか否かを判定する。ここで、無線通信品質は、例えば、スループット、ビット誤り率、パケット誤り率、通信速度などに基づき評価される通信品質である。ＳＣＣの無線通信品質が閾値以下である場合、通信環境検出部３２４は、ＣＡ通信を拒否すると判定する。通信環境検出部３２４は、ＣＡ通信拒否要求部３０８ｃに判定結果を出力する。
通信制限処理部３２５は、ＨｅＮＢ基地局装置３ｃの通信障害、または通信制限が生じた場合、ＣＡ通信を拒否すると判定する。通信制限処理部３２５は、ＣＡ通信拒否要求部３０８ｃに判定結果を出力する。
なお、本実施形態において、セルトラフィック量、ユーザ数、通信環境、通信制限の判定結果のうち少なくとも１つがＣＡ通信を拒否すると判定するが、他の条件を加えてもよい。
【００９６】
図２０は、本実施形態に係る移動局装置１、および２つの基地局装置におけるコンポーネントキャリア切断の動作の一例を説明するシーケンス図である。
マクロセル基地局装置２ｃとＨｅＮＢ基地局装置３ｃとの間の通信は、各基地局装置におけるネットワーク通信部２０８、３０５を介して行われるが、以下の説明においては省略する。また、マクロセル基地局装置２ｃ、ＨｅＮＢ基地局装置３ｃと移動局装置１との間の通信は、送受信アンテナ１００、２００、３００、無線部１０１、２０１、３０１、送受信部１０３、２０３、３０３を介して行われるが以下の説明においては省略する。
【００９７】
移動局装置１は、マクロセル基地局装置２ｃとの通信に用いるＰＣＣ（周波数帯域Ａ）と、ＨｅＮＢ基地局装置３ｃとの通信に用いるＳＣＣ（周波数帯域Ｂ）とを用いてＣＡ通信を行っている（ＳＴ１０１）。
ＨｅＮＢ基地局装置３ｃは、ＣＡ通信拒否判定部３２ｃがセルトラフィック量、ユーザ数、通信環境、通信制限などの情報の判定結果から、ＣＡ通信を拒否すると決定する（ＳＴ１１０）。
ＨｅＮＢ基地局装置３ｃのＣＡ通信拒否要求部３０８ｃは、ステップＳＴ１１０でＣＡ通信拒否判定部３２ｃがＣＡ通信を拒否すると決定した場合、マクロセル基地局装置２ｃにＣＡ通信拒否要求を送信する（ＳＴ１１１）。
【００９８】
マクロセル基地局装置２ｃは、ＨｅＮＢ基地局装置３ｃからＣＡ通信拒否要求を受信すると（ＳＴ１１２）、ＨｅＮＢ基地局装置３ｃに切断準備要求を送信する（ＳＴ１０３）。
ＨｅＮＢ基地局装置３ｃの切断準備要求処理部３０４は、マクロセル基地局装置２ｃから切断準備要求を受信すると、マクロセル基地局装置２ｃに切断準備ＡＣＫを送信する（ＳＴ１０４）。
【００９９】
マクロセル基地局装置２ｃのＳＣＣ切断要求部２０５は、ＨｅＮＢ基地局装置３ｃから受信した切断準備ＡＣＫに基づき、移動局装置１にＳＣＣ切断要求を送信する（ＳＴ１０５）。
移動局装置１のＳＣＣ切断処理部１０５は、マクロセル基地局装置２ｃから切断要求を受信すると、ＳＣＣの切断処理を行い、ＨｅＮＢ基地局装置３ｃとの通信を切断する（ＳＴ１０６）。
移動局装置１は、マクロセル基地局装置２ｃと通信を行う（ＳＴ１０７）。
【０１００】
このように、本実施形態では、マクロセル基地局装置２ｃと、ＨｅＮＢ基地局装置３ｃと、マクロセル基地局装置２ｃおよびＨｅＮＢ基地局装置３ｃと通信する移動局装置１と、を具備する無線通信システムである。移動局装置１がマクロセル基地局装置２ｃとの通信に用いる第１のＣＣと、移動局装置１がＨｅＮＢ基地局装置３ｃとの通信に用いる第２のＣＣと、を用いてＣＡ技術を利用して通信を行っている。ＨｅＮＢ基地局装置３ｃのＣＡ通信拒否判定部３２ｃは、通信環境の測定結果に基づいて、ＣＡ技術を利用した通信に用いるＣＣの中から第２のＣＣを切断することを決定する。ＣＡ通信拒否要求部３０８ｃは、ＣＡ通信拒否判定部３２ｃの判定結果に基づいて、マクロセル基地局装置２ｃにＣＡ通信拒否要求を送信する。
【０１０１】
マクロセル基地局装置２ｃは、ＣＡ通信拒否要求部３０８ｃからＣＡ通信拒否要求を受信すると、切断準備要求部２０６がＨｅＮＢ基地局装置３ｃに切断準備要求を送信する。マクロセル基地局装置２ｃの切断準備要求部２０６は、ＣＡ技術を利用した通信に用いるＣＣの中から前記第２のＣＣを切断する準備をさせる切断準備要求を、ＨｅＮＢ基地局装置３ｃに送信する。
ＳＣＣ切断要求部２０５は、切断準備ＡＣＫを受信すると、第２のＣＣを切断させる切断要求を移動局装置１に送信する。移動局装置１は、切断要求を受信すると、ＣＡ技術を利用して通信を行っているＣＣの中から第２のＣＣを切断する。これにより、優れた通信速度を有する無線通信システムを提供できる。
【０１０２】
なお、本実施形態では、マクロセル基地局装置２ｃが主導基地局装置となりＰＣＣを利用し、ＨｅＮＢ基地局装置３ｃがＳＣＣを利用した場合について述べているが、ＨｅＮＢ基地局装置３ｃが主導基地局装置となりＰＣＣを利用してもよいし、他のＨｅＮＢ基地局装置を主導基地局装置としてＰＣＣを利用し、ＨｅＮＢ基地局装置３ｃがＳＣＣを利用してもよい。また、主導基地局装置がスケジューリング管理を行うものとして構成しているが、変形例としては、コアネットワーク交換機４がスケジューリング管理を行ってもよい。
【０１０３】
また、本実施形態では、ＳＣＣを切断すると記載しているが、非活性化し、該ＳＣＣをモニタリングすることでもよい。ここで、「非活性化する」とは、データ通信、および制御信号などの送受信を行わない状態にすることである。例えば、周期的に非活性化したＳＣＣのリファレンスシグナル（パイロットシンボル）を受信する。該ＣＣの受信品質の測定を行わないときには、該ＳＣＣの受信系電源のオフを行ってもよい。なお、非活性化しても、必ずしもモニタリングをしなくてもよい。
また、第２の実施形態および第３の実施形態と同様に、移動局装置への切断要求をＨｅＮＢ基地局装置から行ってもよい。
【０１０４】
（第５の実施形態）
以下、図面を参照しながら本発明の第５の実施形態について詳しく説明する。
図２１は、本発明の第５の実施形態、第６の実施形態に係る無線通信システムＳ３の構成の一例を示す概念図である。
無線通信システムＳ３は、移動局装置１、マクロセル基地局装置２−１、ＨｅＮＢ基地局装置３−１、ＨｅＮＢ基地局装置(第３の基地局装置)３−２、およびＨｅＮＢ基地局装置３−３を含んで構成される。
【０１０５】
マクロセル基地局装置２−１は、セルＣＥ１−１を通信範囲としている。ＨｅＮＢ基地局装置３−１、ＨｅＮＢ基地局装置３−２、およびＨｅＮＢ基地局装置３−３は、それぞれセルＣＥ２−１、ＣＥ２−２、およびＣＥ２−３を通信範囲としている。セルＣＥ２−１、セルＣＥ２−２、セルＣＥ２−３は、セルＣＥ１−１の通信範囲に含まれている。
【０１０６】
マクロセル基地局装置２−１、ＨｅＮＢ基地局装置３−１、ＨｅＮＢ基地局装置３−２は、それぞれ１つの周波数帯域（ＣＣ）を用いて移動局装置１と通信する。移動局装置１は、マクロセル基地局装置２−１のＰＣＣ（第１のＣＣ）、ＨｅＮＢ基地局装置３−１のＳＣＣ(第２のＣＣ)、およびＨｅＮＢ基地局装置３−２のＳＣＣ（第３のＣＣ）を用いてＣＡ通信をしている。移動局装置１は、そのＰＣＣおよび２つのＳＣＣを利用して、ＣＡ通信を行うものとして説明する。
【０１０７】
図２２は、本発明の第５の実施形態に係るＣＡ通信の一例を示す概念図である。
図２２は、移動局装置１が、マクロセル基地局装置２−１のＣＣ、ＨｅＮＢ基地局装置３−１のＣＣ、およびＨｅＮＢ基地局装置３−２のＣＣを利用して、ＣＡ通信を行っている。移動局装置１は、周波数帯域  Ｆ１ｃ、Ｆ２ｃ、Ｆ３ａを用いて、マクロセル基地局装置２−１、ＨｅＮＢ基地局装置３−１、およびＨｅＮＢ基地局装置３−２と通信している。マクロセル基地局装置２−１は、周波数帯域Ｆ１ｂを用いて移動局装置１と通信している。ＨｅＮＢ基地局装置３−１は、周波数帯域Ｆ２ｂを用いて移動局装置１と通信している。ＨｅＮＢ基地局装置３−２は、周波数帯域Ｆ３を用いて移動局装置１と通信している。周波数帯域Ｆ１ｂ、Ｆ１ｃは、同一の周波数帯域である。周波数帯域Ｆ２ｂ、Ｆ２ｃは、同一の周波数帯域である。周波数帯域Ｆ３、Ｆ３ａは、同一の周波数帯域である。ここで、移動局装置１は、周波数帯域Ｆ１ｃをＰＣＣ、周波数帯域Ｆ２ｃをＳＣＣ、および周波数帯域Ｆ３ａをＳＣＣとしてＣＡ通信に利用する。
【０１０８】
図２３は、マクロセル基地局装置２−１から移動局装置１へのＳＣＣ切断要求に対し、移動局装置１がＳＣＣ切断処理を行ったときの一例を示す図である。
移動局装置１は、マクロセル基地局装置２−１、ＨｅＮＢ基地局装置３−１、およびＨｅＮＢ基地局装置３−２と通信する。ここで、移動局装置１は、マクロセル基地局装置２−１に対して、周波数帯域Ｆ２ｃのＳＣＣ切断処理を行う。マクロセル基地局装置２−１は、移動局装置１にＳＣＣ切断要求を行う。移動局装置１は、該ＳＣＣ切断要求に基づいて切断処理を行うことで、ＳＣＣを切断する。これにより、移動局装置１は、マクロセル基地局装置２−１のＰＣＣとＨｅＮＢ基地局装置３−２のＳＣＣとを利用して、ＣＡ通信する。
【０１０９】
本実施形態における移動局装置１の構成は、第１の実施形態における移動局装置１と同様の構成であるので、説明は省略する。
図２４は、本実施形態に係るマクロセル基地局装置２ｄの構成の一例を示す概略ブロック図である。
マクロセル基地局装置２ｄと第４の実施形態におけるマクロセル基地局装置２ｃとを比較すると、ＣＡ通信切断決定部２３ｄと、切断対象ＳＣＣ決定部２４ｄとが異なる。そのほかの構成は、第４の実施形態におけるマクロセル基地局装置２ｃと同様であるので、説明は省略する。
【０１１０】
ＣＡ通信切断決定部２３ｄは、例えば、移動局装置１とマクロセル基地局装置２ｄ、移動局装置１とＨｅＮＢ基地局装置３の通信量を測定する。ＣＡ通信切断決定部２３ｄは、測定した通信量が閾値以下であるか否かを判定する。通信量に関する測定値が閾値以下である場合、ＣＡ通信切断決定部２３ｄは、ＣＡ通信の切断を決定する。ＣＡ通信切断決定部２３ｄは、決定したＣＡ通信の切断を切断対象ＳＣＣ決定部２４ｄに出力する。ＣＡ通信切断決定部２３ｄの動作についての説明は後述する。
【０１１１】
切断対象ＳＣＣ決定部２４ｄは、ＣＡ通信切断決定部２３ｄからＣＡ通信の切断の決定が入力されると、どのＳＣＣを切断するかを決定する。例えば、切断すべきＳＣＣの決定は、ＨｅＮＢ基地局装置３−１とＨｅＮＢ基地局装置３−２との無線通信品質を比較し、より低い無線通信品質のＳＣＣを切断すると決定する。切断対象ＳＣＣ決定部２４ｄは、決定した切断対象のＳＣＣに対する切断準備要求を切断準備要求部２０６に生成させる。
【０１１２】
図２５は、本実施形態に係るマクロセル基地局装置２ｄのＣＡ通信切断決定部２３ｄの構成の一例を示す概略ブロック図である。
ＣＡ通信切断決定部２３ｄは、閾値記憶部２３１、呼種記憶部２３２、アプリケーション使用量記憶部２３３、セルトラフィック量検出部２３４、データ量検出部２３５、通信環境検出部２３６、呼種判定部２３７、およびアプリケーション使用量判定部２３８を含んで構成される。
【０１１３】
閾値記憶部２３１は、ＨｅＮＢ基地局装置３のセルトラフィック量に関する閾値、マクロセル基地局装置２ｄのセルトラフィック量に関する閾値、移動局装置１へ送信すべき下りデータ量に関する閾値、移動局装置１から送信される上りデータ量に関する閾値、移動局装置１とＨｅＮＢ基地局装置３との間の通信で使用しているＳＣＣの通信品質に関する閾値を記憶している。呼種記憶部２３２は、呼種の情報を記憶している。アプリケーション使用量記憶部２３３は、アプリケーション使用量に関する情報を記憶している。
【０１１４】
セルトラフィック量検出部２３４は、ＨｅＮＢ基地局装置３のセルトラフィック量に関する閾値を閾値記憶部２３１から読み出す。セルトラフィック量検出部２３４は、ＨｅＮＢ基地局装置３のセルトラフィック量が閾値以上か否かを判定する。ＨｅＮＢ基地局装置３のセルトラフィック量が閾値以上である場合、すなわち、ＨｅＮＢ基地局装置３がビジー状態である場合、セルトラフィック量検出部２３４は、ＣＡ通信の切断を決定する。
【０１１５】
セルトラフィック量検出部２３４は、マクロセル基地局装置２ｄのセルトラフィック量に関する閾値を閾値記憶部２３１から読み出す。セルトラフィック量検出部２３４は、マクロセル基地局装置２ｄのセルトラフィック量が閾値以下か否かを判定する。マクロセル基地局装置２ｄのセルトラフィック量が閾値以下である場合、例えば、マクロセル基地局装置２ｄがビジー状態でない場合、セルトラフィック量検出部２３４は、ＣＡ通信の切断を決定する。セルトラフィック量検出部２３４は、セルトラフィック量に関する判定結果を切断対象ＳＣＣ決定部２４ｄに出力する。
【０１１６】
ここで、セルトラフィック量検出部２３４は、ＨｅＮＢ基地局装置３のセルトラフィック量の判定結果、もしくはマクロセル基地局装置２ｄのセルトラフィック量の判定結果のうち少なくとも１つがＣＡ通信の切断を決定した場合、ＣＡ通信を切断する。
【０１１７】
データ量検出部２３５は、移動局装置１へ送信すべき下りデータ量に関する閾値を閾値記憶部２３１から読み出す。データ量検出部２３５は、下りデータ量が閾値以下か否かを判定する。移動局装置１へ送信すべき下りデータ量、例えば、バッファに蓄積されている移動局装置１向けのデータ量が閾値以下である場合、データ量検出部２３５は、ＣＡ通信の切断を決定する。データ量検出部２３５は、移動局装置１から送信される上りデータ量に関する閾値を閾値記憶部２３１から読み出す。
【０１１８】
データ量検出部２３５は、移動局装置１から送信される上りデータ量が閾値以下か否かを判定する。移動局装置１から送信される上りデータ量、例えば、移動局装置１から通知される移動局装置１のバッファに蓄積されているデータ量が閾値以下である場合、データ量検出部２３５は、ＣＡ通信の切断を決定する。データ量検出部２３５は、データ量に関する判定結果を切断対象ＳＣＣ決定部２４ｄに出力する。
【０１１９】
ここで、データ量検出部２３５は、下りデータ量が閾値以下である場合、もしくは上りデータ量が閾値以下である場合の少なくともどちらか一方に該当する場合、ＣＡ通信の切断を決定する。あるいは、両方に該当する場合、ＣＡ通信の切断を決定する。例えば、データ量検出部２３５は、下りデータ量が閾値以上であるが、上りデータ量が閾値以下である場合には、上りで使用しているＳＣＣのみの切断を決定してもよい。
【０１２０】
通信環境検出部２３６は、無線通信品質に関する情報を閾値記憶部２３１から読み出す。通信環境検出部２３６は、ＳＣＣの毎の無線通信品質を検出する。通信環境検出部２３６は、検出したＳＣＣ毎の無線通信品質が閾値以下か否かを判定する。無線通信品質が閾値以下である場合、通信環境検出部２３６は、検出したＳＣＣ毎の無線通信品質に関する情報を切断対象ＳＣＣ決定部２４ｄに出力する。
【０１２１】
呼種判定部２３７は、通信中の呼種に関する情報を呼種記憶部２３２から読み出す。呼種判定部２３７は、通信中の呼種の変化に対し、ＣＡ通信を切断するか否かを判定する。例えば、大容量の呼種から小容量の呼種に切り替わった場合、呼種判定部２３７は、ＣＡ通信を切断すると判定する。呼種判定部２３７は、変化した呼種を呼種記憶部２３２に記憶する。呼種判定部２３７は、判定結果を切断対象ＳＣＣ決定部２４ｄに出力する。
【０１２２】
アプリケーション使用量判定部２３８は、アプリケーション使用量記憶部２３３から使用しているアプリケーションの数を読み出す。アプリケーション使用量判定部２３８は、使用中のアプリケーション数に応じＣＡ通信を切断するか否かを判定する。例えば、複数のアプリケーションを同時に使用中から１つのアプリケーションの使用を中断した場合、アプリケーション使用量判定部２３８はＣＡ通信を切断すると判定する。アプリケーション使用量判定部２３８は、変化したアプリケーション数をアプリケーション使用量記憶部２３３に記憶する。アプリケーション使用量判定部２３８は、判定結果を切断対象ＳＣＣ決定部２４ｄへ出力する。
【０１２３】
なお、本実施形態では、セルトラフィック量検出部２３４、データ量検出部２３５、通信環境検出部２３６、呼種判定部２３７、アプリケーション使用量判定部２３８の少なくともいずれかの１つの判定に該当する場合、ＣＡ通信の切断を決定しているが、他の条件、例えば、通信環境に関する情報や無線通信品質、ビットレートなどを用いてもよい。ここで、通信環境に関する情報とは、例えば、ＣＣ毎のビット誤り率やパケット誤り率、スループットなどの情報である。また、ＳＣＣを切断すると記載しているが非活性化することでもよい。
【０１２４】
図２６は、本実施形態に係るマクロセル基地局装置２ｄにおける切断対象ＳＣＣ決定部２４ｄの構成の一例を示す概略ブロック図である。
切断対象ＳＣＣ決定部２４ｄは、通信環境比較部２４１、セルトラフィック量比較部２４２を含んで構成される。
通信環境比較部２４１は、通信環境検出部２３６から入力された無線通信品質に関する情報に基づき、ＳＣＣ毎の無線通信品質を、例えば、ビット誤り率を用いて比較する。通信環境比較部２４１は、無線通信品質の比較の結果、無線通信品質の低いＳＣＣ、すなわち、例えば、ビット誤り率が高いＳＣＣを切断すると決定する。通信環境比較部２４１は、決定した切断対象のＳＣＣに関する情報を切断準備要求処理部２０７に出力する。
【０１２５】
セルトラフィック量比較部２４２は、セルトラフィック量検出部２３４から入力されたセルトラフィック量に関する判定結果に基づき、切断対象のＳＣＣを決定する。セルトラフィック量比較部２４２は、ＳＣＣ毎のセルトラフィック量を比較し、セルトラフィック量が高いＳＣＣ、すなわち、ビジー状態であるＳＣＣの基地局装置を切断対象のＳＣＣと決定する。セルトラフィック量比較部２４２は、決定した切断対象のＳＣＣに関する情報を切断準備要求処理部２０７に出力する。
【０１２６】
本実施形態におけるＨｅＮＢ基地局装置３の構成は、第１の実施形態におけるＨｅＮＢ基地局装置３と同様の構成であるので、説明は省略する。
【０１２７】
図２７は、本実施形態に係る移動局装置１、および３つの基地局装置におけるコンポーネントキャリア切断の動作の一例を説明するシーケンス図である。
マクロセル基地局装置２ｄとＨｅＮＢ基地局装置３との間の通信は、各基地局装置におけるネットワーク通信部２０８、３０５を介して行われるが、以下の説明においては省略する。また、マクロセル基地局装置２ｄ、ＨｅＮＢ基地局装置３と移動局装置１との間の通信は、送受信アンテナ１００、２００、３００、無線部１０１、２０１、３０１、送受信部１０３、２０３、３０３を介して行われるが以下の説明においては省略する。
【０１２８】
移動局装置１は、マクロセル基地局装置２ｄとの通信に用いるＰＣＣ（周波数帯域Ａ）と、ＨｅＮＢ基地局装置３−１との通信に用いるＳＣＣ（周波数帯域Ｂ）と、ＨｅＮＢ基地局装置３−２との通信に用いるＳＣＣ（周波数帯域Ｃ）とを用いてＣＡ通信を行っている（ＳＴ１０１ａ）。
マクロセル基地局装置２ｄは、ＣＡ通信切断決定部２３ｄが通信環境に関する情報の測定結果から、ＣＡ通信の切断を決定する。切断対象ＳＣＣ決定部２４ｄは、切断対象のＳＣＣを決定する。例えば、ＨｅＮＢ基地局装置３−２との通信に用いるＳＣＣ（周波数帯域Ｃ）を切断すると決定する（ＳＴ１０２ａ）。
【０１２９】
マクロセル基地局装置２ｄの切断準備要求部２０６は、切断対象ＳＣＣ決定部２４ｄがＨｅＮＢ基地局装置３−２との通信に用いるＳＣＣ（周波数帯域Ｃ）の切断を決定すると、ＨｅＮＢ基地局装置３−２に切断準備要求を送信する（ＳＴ１０３）。
ＨｅＮＢ基地局装置３−２の切断準備要求処理部３０４は、マクロセル基地局装置２ｄの切断準備要求部２０６から切断準備要求を受信すると、ＳＣＣの切断準備を行い、マクロセル基地局装置２ｄに切断準備ＡＣＫを送信する（ＳＴ１０４）。
【０１３０】
マクロセル基地局装置２ｄのＳＣＣ切断要求部２０５は、ＨｅＮＢ基地局装置３−２から切断準備ＡＣＫを受信すると、移動局装置１にＳＣＣ切断要求を送信する（ＳＴ１０５ａ）。
移動局装置１は、マクロセル基地局装置２ｄから切断要求を受信すると、ＨｅＮＢ基地局装置３−２との通信を切断する（ＳＴ１０６ａ）。
移動局装置１は、マクロセル基地局装置２ｄとの通信に用いるＰＣＣと、ＨｅＮＢ基地局装置３−１との通信に用いるＳＣＣとを用いてＣＡ通信を行う（ＳＴ１０７ａ）。
【０１３１】
このように、本実施形態では、マクロセル基地局装置２ｄと、ＨｅＮＢ基地局装置３−１と、ＨｅＮＢ基地局装置３−２と、マクロセル基地局装置２ｄ、ＨｅＮＢ基地局装置３−１、ＨｅＮＢ基地局装置３−２と通信する移動局装置１と、を具備する無線通信システムである。移動局装置１は、マクロセル基地局装置２ｄとの通信に用いる第１のＣＣと、ＨｅＮＢ基地局装置３−１との通信に用いる第２のＣＣと、ＨｅＮＢ基地局装置３−２との通信に用いる第３のＣＣと、を用いてＣＡ技術を利用して通信を行っている。通信環境検出部２３６は、移動局装置１と、各々の基地局装置と、の通信環境を検出する。切断対象ＳＣＣ決定部２４ｄは、通信環境検出部２３６の検出結果に基づいて、切断対象となるＳＣＣを決定する。
【０１３２】
マクロセル基地局装置２ｄは、切断対象ＳＣＣ決定部２４ｄにおいて決定された切断対象となるＳＣＣを用いるＨｅＮＢ基地局装置３−２に切断準備要求を送信する。すなわち、マクロセル基地局装置２ｄの切断準備要求部２０６は、ＣＡ技術を利用した通信に用いるＣＣの中から第２のＣＣを切断する準備をさせる切断準備要求を、ＨｅＮＢ基地局装置３−２に送信する。ＳＣＣ切断要求部２０５は、切断準備要求に基づいて、第２のＣＣを切断させる切断要求を移動局装置１に送信する。移動局装置は、切断要求を受信すると、ＣＡ技術を利用して通信を行っているＣＣの中から第３のＣＣを切断する。これにより、優れた通信速度を有する無線通信システムを提供できる。
【０１３３】
なお、本実施形態では、マクロセル基地局装置２ｄが主導基地局装置となりＰＣＣを利用し、ＨｅＮＢ基地局装置３−１およびＨｅＮＢ基地局装置３−２が各々ＳＣＣを利用した場合について述べているが、ＨｅＮＢ基地局装置３−１が主導基地局装置となりＰＣＣを利用してもよいし、ＨｅＮＢ基地局装置３−２を主導基地局装置としてＰＣＣを利用してもよい。また、主導基地局装置がスケジューリング管理を行うものとして構成しているが、変形例としては、コアネットワーク交換機４がスケジューリング管理を行ってもよい。
【０１３４】
また、本実施形態では、ＳＣＣを切断すると記載しているが、非活性化し、該ＳＣＣをモニタリングすることでもよい。ここで、「非活性化する」とは、データ通信、および制御信号などの送受信を行わない状態にすることである。例えば、周期的に非活性化したＳＣＣのリファレンスシグナル（パイロットシンボル）を受信する。該ＣＣの受信品質の測定を行わないときには、該ＳＣＣの受信系電源のオフを行ってもよい。なお、非活性化しても、必ずしもモニタリングをしなくてもよい。
【０１３５】
また、本実施形態では３つの基地局装置における１つのＳＣＣの切断について述べているが、４つ以上の基地局装置を用いて各々のＣＣでＣＡ通信している場合においても同様の手法で１つのＣＣを切断することが可能である。また、第２の実施形態、第３の実施形態のように、ＨｅＮＢ基地局装置３は、移動局装置１に切断要求を送信するとしてもよい。さらに、第４の実施形態のように、ＨｅＮＢ基地局装置３−１、あるいはＨｅＮＢ基地局装置３−２にＣＡ拒否要求を送信することにより、ＳＣＣを切断することも可能である。
【０１３６】
（第６の実施形態）
本実施形態における移動局装置１の構成は、第１の実施形態における移動局装置１と同様の構成であるので、説明は省略する。本実施形態におけるマクロセル基地局装置２の構成は、第１の実施形態におけるマクロセル基地局装置２と同様の構成であるので、説明は省略する。本実施形態におけるＨｅＮＢ基地局装置３の構成は、第１の実施形態におけるＨｅＮＢ基地局装置３と同様の構成であるので、説明は省略する。
【０１３７】
図２８は、本実施形態に係る移動局装置１、および３つの基地局装置におけるコンポーネントキャリア切断の動作の一例を示すシーケンス図である。
マクロセル基地局装置２とＨｅＮＢ基地局装置３との間の通信は、各基地局装置におけるネットワーク通信部２０８、３０５を介して行われるが、以下の説明においては省略する。また、マクロセル基地局装置２、ＨｅＮＢ基地局装置３と移動局装置１との間の通信は、送受信アンテナ１００、２００、３００、無線部１０１、２０１、３０１、送受信部１０３、２０３、３０３を介して行われるが以下の説明においては省略する。
【０１３８】
移動局装置１は、マクロセル基地局装置２との通信に用いるＰＣＣ（周波数帯域Ａ）と、ＨｅＮＢ基地局装置３−１との通信に用いるＳＣＣ（周波数帯域Ｂ）と、ＨｅＮＢ基地局装置３−２との通信に用いるＳＣＣ（周波数帯域Ｃ）とを用いてＣＡ通信を行っている（ＳＴ１０１ａ）。
マクロセル基地局装置２は、ＣＡ通信判定部２１が通信量に関する情報の測定結果から、ＣＡ通信の切断を決定する（ＳＴ１０２ｂ）。ＣＡ通信判定部２１は、全てのＳＣＣを切断すると決定する。
【０１３９】
マクロセル基地局装置２の切断準備要求部２０６は、ＣＡ通信判定部２１がＣＡ通信の切断を決定すると、ＨｅＮＢ基地局装置３−２に切断準備要求を送信する（ＳＴ１０３）。
ＨｅＮＢ基地局装置３−２の切断準備要求処理部３０４は、マクロセル基地局装置２から切断準備要求を受信すると、ＳＣＣの切断準備を行い、マクロセル基地局装置２に切断準備ＡＣＫを送信する（ＳＴ１０４）。
マクロセル基地局装置２の切断準備要求部２０６は、ＣＡ通信判定部２１がＣＡ通信の切断を決定すると、ＨｅＮＢ基地局装置３−１に切断準備要求を送信する（ＳＴ１０３ａ）。
【０１４０】
ＨｅＮＢ基地局装置３−１の切断準備要求処理部３０４は、マクロセル基地局装置２から切断準備要求を受信すると、ＳＣＣの切断準備を行い、マクロセル基地局装置２に切断準備ＡＣＫを送信する（ＳＴ１０４ａ）。
マクロセル基地局装置２のＳＣＣ切断要求部２０５は、ＨｅＮＢ基地局装置３−１、およびＨｅＮＢ基地局装置３−２から切断準備ＡＣＫを受信すると、移動局装置１にＳＣＣ切断要求を送信する（ＳＴ１０５ｂ）。
移動局装置１のＳＣＣ切断処理部１０５は、マクロセル基地局装置２から切断要求を受信すると、ＨｅＮＢ基地局装置３−１、およびＨｅＮＢ基地局装置３−２との通信を切断する（ＳＴ１０６ｂ）。
移動局装置１は、マクロセル基地局装置２との通信に用いるＰＣＣを用いて通信を行う（ＳＴ１０７）。
【０１４１】
このように、本実施形態では、マクロセル基地局装置２と、ＨｅＮＢ基地局装置３−１と、ＨｅＮＢ基地局装置３−２と、マクロセル基地局装置２、ＨｅＮＢ基地局装置３−１、ＨｅＮＢ基地局装置３−２と通信する移動局装置１と、を具備する無線通信システムである。移動局装置１は、マクロセル基地局装置２との通信に用いる第１のＣＣと、ＨｅＮＢ基地局装置３−１との通信に用いる第２のＣＣと、ＨｅＮＢ基地局装置３−２との通信に用いる第３のＣＣと、を用いてＣＡ技術を利用して通信を行っている。
【０１４２】
マクロセル基地局装置２は、第２のＣＣを切断する切断準備要求をＨｅＮＢ基地局装置３−１、およびＨｅＮＢ基地局装置３−２に送信する。マクロセル基地局装置２は、ＣＡ技術を利用した通信に用いるＣＣの中から第２のＣＣと、第３のＣＣと、を切断する切断要求を移動局装置１に送信する。移動局装置１は、切断要求を受信すると、第２のＣＣと、第３のＣＣと、を切断する。これにより、優れた通信速度を有する無線通信システムを提供できる。
【０１４３】
なお、本実施形態では、マクロセル基地局装置２が主導基地局装置となりＰＣＣを利用し、ＨｅＮＢ基地局装置３−１およびＨｅＮＢ基地局装置３−２が各々ＳＣＣを利用した場合について述べているが、ＨｅＮＢ基地局装置３−１が主導基地局装置となりＰＣＣを利用してもよいし、ＨｅＮＢ基地局装置３−２を主導基地局装置としてＰＣＣを利用してもよいし、ＨｅＮＢ基地局装置３−１、あるいはＨｅＮＢ基地局装置３−２が主導基地局装置となりＰＣＣを利用し、マクロセル基地局装置２、および他の複数のＨｅＮＢ基地局装置３がＳＣＣを利用した場合でも同様の手法でＣＣの切断が可能であり、マクロセル基地局装置２を含まなくてもよい。また、主導基地局装置がスケジューリング管理を行うものとして構成しているが、変形例としては、コアネットワーク交換機４がスケジューリング管理を行ってもよい。
【０１４４】
また、本実施形態では、ＳＣＣを切断すると記載しているが、非活性化し、該ＳＣＣをモニタリングすることでもよい。ここで、「非活性化する」とは、データ通信、および制御信号などの送受信を行わない状態にすることである。例えば、周期的に非活性化したＳＣＣのリファレンスシグナル（パイロットシンボル）を受信する。該ＣＣの受信品質の測定を行わないときには、該ＳＣＣの受信系電源のオフを行ってもよい。なお、非活性化しても、必ずしもモニタリングをしなくてもよい。
【０１４５】
また、本実施形態では３つの基地局装置における１つのＳＣＣの切断について述べているが、４つ以上の基地局装置を用いて各々のＣＣでＣＡ通信している場合においても同様の手法ですべてのＳＣＣを切断することが可能である。また、第２の実施形態、第３の実施形態のように、ＨｅＮＢ基地局装置３は、移動局装置１に切断要求を送信するとしてもよい。
【０１４６】
なお、上述した実施形態における移動局装置１、１ａ、マクロセル基地局装置２、２ａ、２ｂ、２ｃ、２ｄ、ＨｅＮＢ基地局装置３、３ａ、３ｂ、３ｃの一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置１、１ａ、マクロセル基地局装置２、２ａ、２ｂ、２ｃ、２ｄ、ＨｅＮＢ基地局装置３、３ａ、３ｂ、３ｃに内蔵されたコンピュータシステムであって、ＯＳや周辺機器等のハードウェアを含むものとする。
【０１４７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１４８】
また、上述した実施形態における移動局装置１、１ａ、マクロセル基地局装置２、２ａ、２ｂ、２ｃ、２ｄ、ＨｅＮＢ基地局装置３、３ａ、３ｂ、３ｃの一部、または全部を、ＬＳＩ（Ｌａｒｇｅ  Ｓｃａｌｅ  Ｉｎｔｅｇｒａｔｉｏｎ）等の集積回路として実現しても良い。移動局装置１、１ａ、マクロセル基地局装置２、２ａ、２ｂ、２ｃ、２ｄ、ＨｅＮＢ基地局装置３、３ａ、３ｂ、３ｃの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１４９】
（１）本発明は上記の課題を解決するためになされたものであり、本発明の一態様は、第１の基地局装置と、第２の基地局装置と、前記第１の基地局装置と第１のコンポーネントキャリアを用いて通信し、前記第２の基地局装置と第２のコンポーネントキャリアを用いて通信する移動局装置と、を具備する無線通信システムであって、前記第１の基地局装置は、前記第２のコンポーネントキャリアの切断準備要求を、前記第２の基地局装置に送信する切断準備要求部を備えること、を特徴とする。
【０１５０】
（２）また、本発明の一態様は、（１）に記載の無線通信システムであって、前記第１の基地局装置は、
前記移動局装置に関する通信量を表す情報の測定結果が閾値以下である場合、前記第２のコンポーネントキャリアを切断することを決定するキャリアアグリゲーション通信判定部、
前記キャリアアグリゲーション通信判定部が切断することを決定すると、前記第２のコンポーネントキャリアの切断要求を前記移動局装置に送信する切断要求部、を備え、前記切断要求部は、前記キャリアアグリゲーション通信判定部が切断することを決定すると、前記切断要求の送信を行い、前記移動局装置は、前記切断要求を受信すると、前記第２のコンポーネントキャリアを切断すること、を特徴とする。
【０１５１】
（３）また、本発明の一態様は、（１）に記載の無線通信システムであって、前記第２の基地局装置は、前記第１の基地局装置から送信された前記第２のコンポーネントキャリアの前記切断準備要求を受信すると、前記第２のコンポーネントキャリアの切断要求を前記移動局装置に送信し、前記移動局装置は、前記切断要求を受信すると、前記第２のコンポーネントキャリアを切断すること、を特徴とする。
【０１５２】
（４）また、本発明の一態様は、（３）に記載の無線通信システムであって、前記移動局装置は、前記切断要求を受信すると、前記第２のコンポーネントキャリアの切断の前記第１の基地局装置への通知と、前記第２のコンポーネントキャリアの切断とを行うこと、を特徴とする。
【０１５３】
（５）また、本発明の一態様は、（３）に記載の無線通信システムであって、前記第２の基地局装置は、前記切断準備要求を受信すると、前記第２のコンポーネントキャリアの切断の前記第１の基地局装置への通知と、前記第２のコンポーネントキャリアの切断要求の前記移動局装置への送信とを行うこと、を特徴とする。
【０１５４】
（６）また、本発明の一態様は、（１）に記載の無線通信システムであって、前記第２の基地局装置は、通信環境の測定結果に基づいて、前記第２のコンポーネントキャリアを切断するか否かを判定するキャリアアグリゲーション通信拒否判定部と、前記キャリアアグリゲーション通信拒否判定部が切断すると判定した場合、前記第１の基地局装置にキャリアアグリゲーション通信拒否要求を送信するキャリアアグリゲーション通信拒否要求部と、を備え、前記第１の基地局装置の前記切断準備要求部は、前記キャリアアグリゲーション通信拒否要求を受信すると、前記第２の基地局装置に前記切断準備要求を送信すること、を特徴とする。
【０１５５】
（７）また、本発明の一態様は、（１）に記載の無線通信システムであって、第３のコンポーネントキャリアを用いて前記移動局装置と通信する第３の基地局装置を具備し、
前記第１の基地局装置は、
各々の前記基地局装置の通信環境を検出する通信環境検出部と、前記通信環境検出部の検出結果に基づいて、前記コンポーネントキャリアの中から切断対象となるコンポーネントキャリアを決定する切断対象コンポーネントキャリア決定部と、を備え、前記切断準備要求部は、前記切断対象コンポーネントキャリア決定部が決定した前記切断対象となるコンポーネントキャリアを用いている前記基地局装置に前記切断準備要求を送信することを特徴とする。
【０１５６】
（８）また、本発明の一態様は、（７）に記載の無線通信システムであって、前記第１の基地局装置は、前記第２のコンポーネントキャリアを切断する前記切断準備要求を前記第２の基地局装置、および前記第３の基地局装置に送信することを特徴とする。
【０１５７】
（９）また、本発明の一態様は、（８）の無線通信システムであって、前記第１の基地局装置は、前記第２のコンポーネントキャリアと、前記第３のコンポーネントキャリアと、を切断する切断要求を前記移動局装置に送信し、前記移動局装置は、前記切断要求を受信すると、前記第２のコンポーネントキャリアと、前記第３のコンポーネントキャリアと、を切断することを特徴とする。
【０１５８】
（１０）また、本発明の一態様は、基地局装置であって、移動局装置と、第１のコンポーネントキャリアを用いて通信する基地局装置であって、前記移動局装置が、他の基地局装置との通信に用いているコンポーネントキャリアの切断準備要求を、前記他の基地局装置に送信する切断準備要求部を備えること、を特徴とする。
【０１５９】
（１１）また、本発明の一態様は、基地局装置であって、移動局装置と、第２のコンポーネントキャリアを用いて通信する基地局装置であって、前記移動局装置が他の基地局装置との通信に用いている第１のコンポーネントキャリアと、前記第２のコンポーネントキャリアとの中から、前記コンポーネントキャリア各々の通信環境の測定結果に基づいて、切断するコンポーネントキャリアを判定するキャリアアグリゲーション通信拒否判定部と、前記キャリアアグリゲーション通信拒否判定部が前記第２のコンポーネントキャリアを切断すると判定したときは、前記他の基地局装置にキャリアアグリゲーション通信拒否要求を送信するキャリアアグリゲーション通信拒否要求部と、を備えること、を特徴とする。
【０１６０】
（１２）また、本発明の一態様は、移動局装置であって、移動局装置は、第１の基地局装置と第１のコンポーネントキャリアを用いて通信し、第２の基地局装置と第２のコンポーネントキャリアを用いて通信する移動局装置であって、前記第２のコンポーネントキャリアの切断要求を前記第１の基地局装置から受信し、受信した前記切断要求に基づいて前記第２のコンポーネントキャリアを切断することを特徴とする。
【０１６１】
（１３）また、本発明の一態様は、無線通信方法であって、第１の基地局装置と、第２の基地局装置と、前記第１の基地局装置と第１のコンポーネントキャリアを用いて通信し、前記第２の基地局装置と第２のコンポーネントキャリアを用いて通信する移動局装置と、を具備する無線通信システムにおける無線通信方法であって、前記第２のコンポーネントキャリアの切断準備要求を送信する第１のステップと、前記切断準備要求に基づいて、前記第２のコンポーネントキャリアを切断させる切断要求を送信する第２のステップと、前記切断要求に基づいて、前記第２のコンポーネントキャリアを切断する第３のステップと、を有することを特徴とする。
【０１６２】
（１４）また、本発明の一態様は、プログラムであって、コンピュータに、第１の基地局装置と、第２の基地局装置と、前記第１の基地局装置と第１のコンポーネントキャリアを用いて通信し、前記第２の基地局装置と第２のコンポーネントキャリアを用いて通信する移動局装置と、を具備する無線通信システムにおけるプログラムであって、前記第２のコンポーネントキャリアの切断準備要求を送信する第１のステップと、前記切断準備要求に基づいて、前記第２のコンポーネントキャリアを切断させる切断要求を送信する第２のステップと、前記切断要求に基づいて、前記第２のコンポーネントキャリアを切断する第３のステップと、を実行させることを特徴とするプログラム。
【０１６３】
（１５）また、本発明の一態様は、プログラムを記憶する記憶媒体であって、第１の基地局装置と、第２の基地局装置と、前記第１の基地局装置と第１のコンポーネントキャリアを用いて通信し、前記第２の基地局装置と第２のコンポーネントキャリアを用いて通信する移動局装置と、を具備する無線通信システムにおけるプログラムを記憶する記憶媒体であって、前記第２のコンポーネントキャリアの切断準備要求を送信する第１のステップと、前記切断準備要求に基づいて、前記第２のコンポーネントキャリアを切断させる切断要求を送信する第２のステップと、前記切断要求に基づいて、前記第２のコンポーネントキャリアを切断する第３のステップと、を実行するプログラムを記憶することを特徴とする記憶媒体。
【０１６４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１６５】
Ｓ１、Ｓ２、Ｓ３・・・無線通信システム
１、１ａ・・・移動局装置
２、２−１、２−２、２ａ、２ｂ、２ｃ、２ｄ・・・マクロセル基地局装置
３、３−１、３−２、３−３、３ａ、３ｂ、３ｃ・・・ＨｅＮＢ基地局装置
４・・・コアネットワーク交換機
ＣＥ１−１、ＣＥ１−２、ＣＥ２−１、ＣＥ２−２、ＣＥ２−３・・・セル
Ｆ１、Ｆ１ａ、Ｆ１ｂ、Ｆ１ｃ・・・第１のＣＣ（周波数帯域Ａ）
Ｆ２、Ｆ２ａ、Ｆ２ｂ、Ｆ２ｃ・・・第２のＣＣ（周波数帯域Ｂ）
Ｆ３、Ｆ３ａ・・・第３のＣＣ（周波数帯域Ｃ）
１００・・・送受信アンテナ
１０１・・・無線部
１０２・・・ＣＡ通信情報記憶部
１０３・・・送受信部
１０４・・・基本機能部
１０５・・・ＳＣＣ切断処理部
１０６ａ・・・切断処理通知部
２００・・・送受信アンテナ
２０１・・・無線部
２０２・・・データ通信部
２０３・・・送受信部
２０４・・・ＣＡ通信情報記憶部
２０５・・・ＳＣＣ切断要求部
２０６・・・切断準備要求部
２０７・・・切断準備要求処理部
２０８・・・ネットワーク通信部
２０９ａ・・・切断処理通知処理部
２１・・・ＣＡ通信判定部
２１１・・・閾値記憶部
２１２・・・呼種記憶部
２１３・・・アプリケーション使用量記憶部
２１４・・・セルトラフィック量検出部
２１５・・・データ量検出部
２１６・・・呼種判定部
２１７・・・アプリケーション使用量判定部
２２ｃ・・・ＣＡ通信拒否要求処理部
２３ｄ・・・ＣＡ通信切断決定部
２３１・・・閾値記憶部
２３２・・・呼種記憶部
２３３・・・アプリケーション使用量記憶部
２３４・・・セルトラフィック量検出部
２３５・・・データ量検出部
２３６・・・通信環境検出部
２３７・・・呼種判定部
２３８・・・アプリケーション使用量判定部
２４ｄ・・・切断対象ＳＣＣ決定部
２４１・・・通信環境比較部
２４２・・・セルトラフィック量比較部
３００・・・送受信アンテナ
３０１・・・無線部
３０２・・・データ通信部
３０３・・・送受信部
３０４・・・切断準備要求処理部
３０５・・・ネットワーク通信部
３０６ａ・・・ＳＣＣ切断要求部
３０７ｂ・・・ＳＣＣ切断処理通知部
３０８ｃ・・・ＣＡ通信拒否要求部
３２ｃ・・・ＣＡ通信拒否判定部
３２１・・・閾値記憶部
３２２・・・セルトラフィック量検出部
３２３・・・ユーザ数検出部
３２４・・・通信環境検出部
３２５・・・通信制限処理部
【図１】
2017022732.tif 000003
【図２】
2017022732.tif 000004
【図３】
2017022732.tif 000005
【図４】
2017022732.tif 000006
【図５】
2017022732.tif 000007
【図６】
2017022732.tif 000008
【図７】
2017022732.tif 000009
【図８】
2017022732.tif 000010
【図９】
2017022732.tif 000011
【図１０】
2017022732.tif 000012
【図１１】
2017022732.tif 000013
【図１２】
2017022732.tif 000014
【図１３】
2017022732.tif 000015
【図１４】
2017022732.tif 000016
【図１５】
2017022732.tif 000017
【図１６】
2017022732.tif 000018
【図１７】
2017022732.tif 000019
【図１８】
2017022732.tif 000020
【図１９】
2017022732.tif 000021
【図２０】
2017022732.tif 000022
【図２１】
2017022732.tif 000023
【図２２】
2017022732.tif 000024
【図２３】
2017022732.tif 000025
【図２４】
2017022732.tif 000026
【図２５】
2017022732.tif 000027
【図２６】
2017022732.tif 000028
【図２７】
2017022732.tif 000029
【図２８】
2017022732.tif 000030